(57)【特許請求の範囲】
【請求項１】
少なくともガソリンを含有する燃料が供給されるように構成されたエンジン本体と、
前記エンジン本体の気筒内に前記燃料を噴射するように構成された燃料噴射弁と、
前記気筒内に臨んで配設されかつ、当該気筒内の混合気に点火をするように構成された点火プラグと、
前記エンジン本体によって駆動される燃料ポンプを含みかつ、前記燃料噴射弁が噴射する燃料の圧力を変更するように構成された燃圧可変機構と、
少なくとも前記燃料噴射弁、前記点火プラグ及び前記燃圧可変機構を制御することによって、前記エンジン本体を運転するように構成された制御器と、を備え、
前記制御器は、前記エンジン本体の運転状態が少なくとも低速域にあるときには、
所定の低負荷域では、吸気行程乃至圧縮行程中に所定回の燃料噴射を行うように前記燃料噴射弁を駆動することによって、圧縮着火燃焼を実行する圧縮着火モードとし、
前記圧縮着火モードよりも負荷の高い高負荷域では、前記圧縮着火モードにおける少なくとも低負荷域での燃料圧力よりも高くなるように、前記燃圧可変機構を制御すると共に、圧縮行程後期から膨張行程初期にかけてのリタード期間内の特定タイミングで行う燃料噴射を少なくとも含むように、前記燃料噴射弁を駆動しかつ、前記リタード期間内における、前記燃料の噴射後に点火するように、前記点火プラグを駆動する火花点火モードとし、
前記制御器はまた、前記エンジン本体の運転状態が変化することに伴い、前記圧縮着火モードから前記火花点火モードへと移行する際のモードの遷移期間内では、前記火花点火モードにおける前記特定タイミングよりも遅角したタイミングで燃料を噴射するように、前記燃料噴射弁を駆動すると共に、その噴射後に点火するように、前記点火プラグを駆動し、
前記遷移期間内における、燃料の噴射タイミング及び点火タイミングの遅角量は、前記火花点火モードにおいて設定される目標燃料圧力と実際の燃料圧力との偏差が大きいほど、大きくする火花点火式ガソリンエンジンの制御装置。
【請求項２】
少なくともガソリンを含有する燃料が供給されるように構成されたエンジン本体と、
前記エンジン本体の気筒内に前記燃料を噴射するように構成された燃料噴射弁と、
前記気筒内に臨んで配設されかつ、当該気筒内の混合気に点火をするように構成された点火プラグと、
前記エンジン本体によって駆動される燃料ポンプを含みかつ、前記燃料噴射弁が噴射する燃料の圧力を変更するように構成された燃圧可変機構と、
少なくとも前記燃料噴射弁、前記点火プラグ及び前記燃圧可変機構を制御することによって、前記エンジン本体を運転するように構成された制御器と、を備え、
前記制御器は、前記エンジン本体の運転状態が少なくとも低速域にあるときには、
所定の低負荷域では、吸気行程乃至圧縮行程中に所定回の燃料噴射を行うように前記燃料噴射弁を駆動することによって、圧縮着火燃焼を実行する圧縮着火モードとし、
前記圧縮着火モードよりも負荷の高い高負荷域では、前記圧縮着火モードにおける少なくとも低負荷域での燃料圧力よりも高くなるように、前記燃圧可変機構を制御すると共に、圧縮行程後期から膨張行程初期にかけてのリタード期間内の特定タイミングで行う燃料噴射を少なくとも含むように、前記燃料噴射弁を駆動しかつ、前記リタード期間内における、前記燃料の噴射後に点火するように、前記点火プラグを駆動する火花点火モードとし、
前記制御器はまた、前記エンジン本体の運転状態が変化することに伴い、前記火花点火モードから前記圧縮着火モードへと移行する際のモードの遷移期間内では、前記圧縮着火モードにおける前記所定回よりも前記燃料噴射の回数が増えるように、前記燃料噴射弁を駆動し、
前記遷移期間内における、燃料の噴射回数の増加量は、前記圧縮着火モードにおいて設定される目標燃料圧力と実際の燃料圧力との偏差が大きいほど、大きくする火花点火式ガソリンエンジンの制御装置。
【請求項３】
請求項１又は２に記載の火花点火式ガソリンエンジンの制御装置において、
前記燃圧可変機構は、前記火花点火モードにおいては、前記燃料圧力を４０ＭＰａ以上に設定する火花点火式ガソリンエンジンの制御装置。
【請求項４】
請求項１〜３のいずれか１項に記載の火花点火式ガソリンエンジンの制御装置において、
前記エンジン本体は、幾何学的圧縮比が１４以上に設定されている火花点火式ガソリンエンジンの制御装置。
【請求項５】
請求項１〜４のいずれか１項に記載の火花点火式ガソリンエンジンの制御装置において、
前記制御器は、前記圧縮着火モードにおいては、前記リタード期間内の燃料噴射時期よりも進角側のタイミングで燃料を噴射するように、前記燃料噴射弁を駆動すると共に、前記エンジン本体の既燃ガスの一部を前記気筒内に存在させることによって、前記気筒内の混合気を圧縮着火させる火花点火式ガソリンエンジンの制御装置。
【請求項６】
請求項５に記載の火花点火式ガソリンエンジンの制御装置において、
前記制御器は、前記圧縮着火モードにおいては、前記エンジン本体に取り付けられた吸気弁及び排気弁の少なくとも一方を制御することによって、前記既燃ガスの一部を前記気筒内に実質的に残留させる火花点火式ガソリンエンジンの制御装置。
【請求項７】
請求項１〜６のいずれか１項に記載の火花点火式ガソリンエンジンの制御装置において、
前記制御器は、前記火花点火モードにおいては、前記エンジン本体を空燃比λ＝１で運転する火花点火式ガソリンエンジンの制御装置。
【請求項８】
請求項１〜７のいずれか１項に記載の火花点火式ガソリンエンジンの制御装置において、
前記エンジン本体の排気側の既燃ガスの一部を吸気側に還流させるＥＧＲ通路をさらに備え、
前記制御器は、少なくとも全開負荷を除く、前記火花点火モードにおいては、前記ＥＧＲ通路を介した排気還流を実行する火花点火式ガソリンエンジンの制御装置。
【発明の詳細な説明】
【技術分野】
【０００１】
ここに開示する技術は、火花点火式ガソリンエンジンの制御装置に関する。
【背景技術】
【０００２】
例えば特許文献１に記載されているように、排気エミッションの向上と熱効率の向上とを両立させる技術として、リーンな混合気を圧縮着火させるＨＣＣＩエンジンが知られている。ところが、エンジン負荷が高くなるにつれて、圧縮着火燃焼は、圧力上昇の激しい過早着火の燃焼となってしまう。そのため、燃焼騒音の増大やノッキング等の異常燃焼の発生を招くと共に、高い燃焼温度に起因するＲａｗ ＮＯｘの増大を招く。そこで、こうしたＨＣＣＩエンジンにおいては、圧縮着火燃焼は、低負荷側の運転領域のみに限定し、高負荷側の運転領域では、点火プラグの駆動による火花点火燃焼を行うことが一般的である。
【０００３】
また、特許文献２には、エンジンの負荷に応じて圧縮着火燃焼と火花点火燃焼との切り替えを行うエンジンにおいて、その燃焼形態の切り替えの際に、ＥＧＲの実施と空燃比のリッチ化とを行うことによって、切り替え過渡時におけるノッキングを回避する技術が記載されている。
【先行技術文献】
【特許文献】
【０００４】
【特許文献１】特開２００７−１５４８５９号公報
【特許文献２】特開２００９−９１９９４号公報
【発明の概要】
【発明が解決しようとする課題】
【０００５】
ところで、圧縮着火燃焼においては、圧縮端温度及び圧縮端圧力が高い方が燃焼が安定化する。そのため、圧縮端温度及び圧縮端圧力が高くなるような工夫、例えば幾何学的圧縮比を高く設定するという工夫が施される場合がある。一方で、火花点火燃焼においては、そうした圧縮端温度及び圧縮端圧力を高めるような工夫は、過早着火やノッキングといった異常燃焼を招きやすくなる。そこで、圧縮着火燃焼と火花点火燃焼との切り替えを行うエンジンにおいては、火花点火燃焼を行う運転状態においては、圧縮着火燃焼時には行わない特定の制御を実行することによって、異常燃焼を回避する場合がある。
【０００６】
ところが、そのように火花点火燃焼時に特定の制御を実行する場合は、圧縮着火燃焼から火花点火燃焼への切り替え時、又は、火花点火燃焼から圧縮着火燃焼への切り替え時に、特定の制御の開始や終了に遅れが生じ、その制御遅れに起因する燃焼形態の悪化等の問題が生じる虞がある。
【０００７】
ここに開示する技術は、かかる点に鑑みてなされたものであり、その目的とするところは、圧縮着火燃焼を実行する圧縮着火モードと、火花点火燃焼を実行する火花点火モードとの間で、モードの切り替えを行う火花点火式ガソリンエンジンにおいて、モードの切り替え過渡における制御遅れに起因する問題を回避することにある。
【課題を解決するための手段】
【０００８】
前述したように、圧縮着火燃焼と火花点火燃焼との切り替えを行うエンジンにおいては、火花点火燃焼時に、過早着火やノッキングといった異常燃焼が発生しやすくなる。本願発明者らは先ず、この異常燃焼を回避する技術について検討を行った。
【０００９】
過早着火やノッキングといった異常燃焼は、圧縮行程中に未燃混合気が圧縮されることに伴う自己着火反応、及び、混合気の燃焼中に、既燃部分の膨張によって、混合気の未燃部分が圧縮されることに伴う自己着火反応である。従来のエンジンでは、例えば吸気行程中に燃料を噴射することが行われるが、これは燃料の噴射開始から燃焼の終了までの時間である未燃混合気反応可能時間が長くなり、異常燃焼を招く要因となり得る。
【００１０】
未燃混合気の反応可能時間は、燃料噴射弁が燃料を噴射する期間である噴射期間、燃料の噴射完了後から、点火プラグ周りに可燃混合気が形成されるまでの混合気形成期間、及び、点火プラグ周りの可燃混合気に点火をすることによって燃焼が開始した後、その燃焼が終了するまでの燃焼期間、の３つの期間から構成されている。本願発明者らは、これらの３つの期間をそれぞれ短縮し得る方策について検討した結果、圧縮上死点付近のタイミングで、比較的高い燃料圧力でもって、気筒内に燃料を噴射することが、噴射期間、混合気形成期間及び燃焼期間をそれぞれ短縮することを見出した。
【００１１】
そこで、本願発明者らは、エンジン負荷に応じて、圧縮着火燃焼を実行する圧縮着火モードと、火花点火燃焼を実行する火花点火モードとの間で、モードの切り替えを行うエンジンにおいて、火花点火モードでは、前述したように、圧縮着火モード時の燃料圧力よりも高い燃料圧力でもって、圧縮上死点付近のタイミングで気筒内に燃料を直接噴射するという特定の制御を行うことによって、異常燃焼を回避することとした。
【００１２】
しかしながら、この構成の場合、圧縮着火モード時と火花点火モード時とでは、燃料圧力が大きく相違することになるから、圧縮着火モードから火花点火モードへ移行する遷移期間においては、燃料圧力の上昇が遅れてしまうことで、特定の制御の開始が実質的に遅れてしまい、前述した、異常燃焼を回避することができるような燃料噴射の形態とならずに異常燃焼を回避することができなくなる虞がある。逆に、火花点火モードから圧縮着火モードへ移行する遷移期間においては、燃料圧力の低下が遅れてしまうことで、特定の制御の終了が実質的に遅れてしまい、高すぎる燃料圧力で、例えば吸気行程中に気筒内に燃料を噴射することにより、気筒の壁面に大量の燃料が付着してしまい、オイル希釈等の別の問題が生じる虞がある。
【００１３】
そこで、火花点火モードにおいて高い燃料圧力による燃料噴射を行う前提において、こうした圧縮着火モードと火花点火モードとの間でのモードの遷移期間では、燃料圧力の変化の遅れを補う制御を行うこととした。
【００１４】
具体的に、ここに開示する火花点火式ガソリンエンジンの制御装置は、少なくともガソリンを含有する燃料が供給されるように構成されたエンジン本体と、前記エンジン本体の気筒内に前記燃料を噴射するように構成された燃料噴射弁と、前記気筒内に臨んで配設されかつ、当該気筒内の混合気に点火をするように構成された点火プラグと、前記エンジン本体によって駆動される燃料ポンプを含みかつ、前記燃料噴射弁が噴射する燃料の圧力を変更するように構成された燃圧可変機構と、少なくとも前記燃料噴射弁、前記点火プラグ及び前記燃圧可変機構を制御することによって、前記エンジン本体を運転するように構成された制御器と、を備える。
【００１５】
そして、前記制御器は、前記エンジン本体の運転状態が少なくとも低速域にあるときには、
所定の低負荷域では、吸気行程乃至圧縮行程中に所定回の燃料噴射を行うように前記燃料噴射弁を駆動することによって、圧縮着火燃焼を実行する圧縮着火モードとし、
前記圧縮着火モードよりも負荷の高い高負荷域では、前記圧縮着火モードにおける少なくとも低負荷域での燃料圧力よりも高くなるように、前記燃圧可変機構を制御すると共に、圧縮行程後期から膨張行程初期にかけてのリタード期間内の特定タイミングで行う燃料噴射を少なくとも含むように、前記燃料噴射弁を駆動しかつ、前記リタード期間内における、前記燃料の噴射後に点火するように、前記点火プラグを駆動する火花点火モードとする。
【００１６】
前記制御器はまた、前記エンジン本体の運転状態が変化することに伴い、前記圧縮着火モードから前記火花点火モードへと移行する際のモードの遷移期間内では、前記火花点火モードにおける前記特定タイミングよりも遅角したタイミングで燃料を噴射するように、前記燃料噴射弁を駆動すると共に、その噴射後に点火するように、前記点火プラグを駆動し、前記遷移期間内における、燃料の噴射タイミング及び点火タイミングの遅角量は、前記火花点火モードにおいて設定される目標燃料圧力と実際の燃料圧力との偏差が大きいほど、大きくする。
【００１７】
ここで、「低速域」は、エンジン本体の運転領域を、速度の高低について二つの領域に区分した場合の、低速側の領域としてもよいし、又は、エンジン本体の運転領域を、低速、中速、高速の３つの領域に区分した場合の、低速の領域としてもよい。
【００１８】
「圧縮行程後期」は、圧縮行程を、初期、中期、及び後期の３つの期間に区分した場合の後期としてもよく、同様に、「膨張行程初期」は、膨張行程を、初期、中期、及び後期の３つの期間に区分した場合の初期としてもよい。
【００１９】
先ず、エンジン本体の運転状態が、少なくとも低速域内の所定の低負荷域にあるときには、圧縮着火燃焼を実行する圧縮着火モードとする。圧縮着火燃焼は、排気エミッションの向上と熱効率の向上との両立に有利である。
【００２０】
これに対し、エンジン本体の運転領域が、少なくとも低速域内の、圧縮着火モードよりも高負荷域にあるときには、火花点火モードとする。ここで「低負荷域」及び「高負荷域」はそれぞれ、エンジン本体の運転領域を、負荷の高低について二つの領域に区分した場合の、低負荷側の領域、及び高負荷側の領域としてもよい。
【００２１】
火花点火モードである、低速域内の高負荷域では、クランク角の変化に対する実時間が長くなる上に、気筒内の圧力及び温度が高くなるため、過早着火やノッキングといった異常燃焼が生じやすくなる。そこで、火花点火モードでは、制御器が、燃料圧力を、圧縮着火モードにおける、少なくとも低負荷域での燃料圧力よりも高める。尚、例えば圧縮着火モードにおける高負荷域での燃料圧力が、火花点火モードでの燃料圧力よりも高くなる場合もあり得る。
【００２２】
ここで、高い燃料圧力は、単位時間当たりに噴射される燃料量を相対的に多くする。このため、同一の燃料噴射量で比較した場合に、高い燃料圧力は、気筒内に燃料を噴射する期間、つまり噴射期間を、低い燃料圧力よりも短縮する。
【００２３】
また、高い燃料圧力は、気筒内に噴射する燃料噴霧の微粒化に有利になると共に、燃料噴霧の飛翔距離を、より長くする。このことから、高い燃料圧力は、燃料の噴射完了後、点火プラグ周りに可燃混合気が形成されるまでの期間（混合気形成期間）を短縮する。
【００２４】
混合気形成期間の終了タイミングは、圧縮上死点付近に設定される点火タイミングと実質的に同じになるから、前述した噴射期間の短縮及び混合気形成期間の短縮は、燃料の噴射タイミング（より正確には、噴射開始タイミング）を、比較的遅いタイミングにすることを可能にする。そこで、前記の構成では、圧縮行程後期から膨張行程初期にかけてのリタード期間内のタイミングで、高い燃料圧力での燃料噴射を実行する。
【００２５】
高い燃料圧力で気筒内に燃料を噴射することに伴い、その気筒内の乱れが強くなり、気筒内の乱れエネルギが高まる。この高い乱れエネルギは、燃料噴射のタイミングが比較的遅いタイミングに設定されることと相俟って、燃焼期間の短縮に寄与する。
【００２６】
つまり、高い燃料圧力で気筒内に燃料を噴射するとしても、仮にその噴射タイミングが吸気行程中であれば、点火タイミングまでの時間が長いことや、吸気行程後の圧縮行程において気筒内が圧縮されることに起因して乱れが減衰し、燃焼期間内における気筒内の乱れエネルギは、比較的低くなってしまう。気筒内の乱れエネルギは、高い方が燃焼期間の短縮に有利になるため、高い燃料圧力で気筒内に燃料を噴射するとしても、噴射タイミングが吸気行程中である以上は、燃焼期間の短縮には大きく寄与しない。
【００２７】
これに対し、前記の構成のように、リタード期間内の比較的遅いタイミングでかつ、高い燃料圧力で気筒内に燃料を噴射することは、気筒内の乱れの減衰を抑制しつつ、燃焼を開始することを可能にするから、燃焼期間内における気筒内の乱れエネルギが高くなる。これによって、燃焼期間は短くなる。
【００２８】
このように、高い燃料圧力でかつ、比較的遅いタイミングのリタード期間内において、気筒内に燃料噴射を実行することは、噴射期間の短縮、混合気形成期間の短縮、及び、燃焼期間の短縮を可能にする。その結果、未燃混合気の反応可能時間は大幅に短くなるため、過早着火やノッキング等の異常燃焼を、有効に回避することができる。
【００２９】
この構成は、気筒内への燃料噴射の形態を工夫することによって異常燃焼を回避しているから、異常燃焼の回避を目的として点火タイミングを遅角する必要がなくなる、又は、その遅角量を小さくすることが可能になる。このことは、点火タイミングを可及的に進角させることを可能にするから、前記の構成は、火花点火モードにおいて、異常燃焼の回避と共に、熱効率の向上及びトルクの向上、言い換えると燃費の向上に有利になる。
【００３０】
このように火花点火モードにおいては、燃料圧力を相対的に高めている。このため、例えばエンジン負荷の増大に伴い圧縮着火モードから火花点火モードへと移行する際には、燃料圧力を上昇させなければならない。しかしながら、燃圧可変機構は、エンジン本体によって駆動される燃料ポンプを備えていることから、燃料圧力の上昇率は比較的低く、モードの変更に対して、燃料圧力の上昇は遅れてしまう。特にエンジン負荷の増大に伴い圧縮着火モードから火花点火モードへ移行するときには、エンジン回転数の上昇に伴う移行ではないため、燃料圧力の上昇は相対的に遅れてしまう。その結果、圧縮着火モードから火花点火モードへと移行した後の過渡では、火花点火モードであるにも拘わらず、燃料圧力は所望の燃料圧力よりも低くなり、前述したリタード期間内での燃料噴射を行ったとしても、異常燃焼を回避することができない虞がある。
【００３１】
そこで、前記の構成では、圧縮着火モードから火花点火モードへ移行する際の遷移期間内では、火花点火モードにおいて設定されている噴射タイミングよりも遅角したタイミングで燃料噴射を行うと共に、火花点火モードにおいて設定されている点火タイミングよりも遅角したタイミングで、点火プラグを駆動する。リタードした点火タイミングは、未燃混合気の反応の進行を抑制するため、遷移期間内での異常燃焼の回避に有利になる。
【００３２】
ここで、「遷移期間」は、圧縮着火モードと火花点火モードとのモードの切り替えタイミングを含む所定の過渡期間であり、前述した噴射タイミング及び点火タイミングのリタード制御は、圧縮着火モードから火花点火モードへとモードを変更した後の所定の期間だけ行ってもよい。また、リタード制御を、圧縮着火モードから火花点火モードへとモードを変更する直前から開始し、モードが変更された後に終了してもよい。
【００３３】
そうして、遷移期間が経過した後は、燃料圧力が十分に上昇していることから、リタード期間内において、高い燃料圧力で気筒内に燃料噴射を実行することで異常燃焼を回避し得るから、点火タイミングを特定タイミングに設定することによって、トルクの向上及び燃費の向上に有利になる。従って、ここでいう「遷移期間」は、燃料圧力が所望の圧力にまで上昇するまでの期間と定義することも可能である。また、遷移期間内における噴射タイミング及び点火タイミングの遅角量は、火花点火モードにおいて設定される燃料圧力（目標燃料圧力）と、実際の燃料圧力との偏差に応じて変更する。すなわち、燃料圧力の偏差が小さいほど、リタード期間内の燃料噴射によって異常燃焼を回避する可能性が高くなり、当該偏差が大きいほど、燃料噴射では、異常燃焼を回避し難くなる。このことから、偏差が小さいほど噴射タイミング及び点火タイミングの遅角量を小さくし、偏差が大きいほど噴射タイミング及び点火タイミングの遅角量を大きくする。
【００３４】
ここに開示する、別のエンジンの制御装置は、前記制御器が、前記エンジン本体の運転状態が変化することに伴い、前記火花点火モードから前記圧縮着火モードへと移行する際のモードの遷移期間内では、前記圧縮着火モードにおける前記所定回よりも前記燃料噴射の回数が増えるように、前記燃料噴射弁を駆動し、前記遷移期間内における、燃料の噴射回数の増加量は、前記圧縮着火モードにおいて設定される目標燃料圧力と実際の燃料圧力との偏差が大きいほど、大きくする。
【００３５】
前記とは逆に、火花点火モードから圧縮着火モードへの移行時には、燃料圧力を低下させなればならないが、モードの変更に対して、燃料圧力の低下は遅れてしまう。その結果、火花点火モードから圧縮着火モードへと移行する過渡では、燃料圧力が高すぎることになり、その高い燃料圧力でもって、吸気行程乃至圧縮行程中に燃料噴射を行うことに伴い、燃料が気筒の内壁面等に大量に付着してしまう虞がある。これは、オイル希釈等の問題を招く。
【００３６】
そこで、前記の構成では、火花点火モードから圧縮着火モードへ移行する際のモードの遷移期間内では、燃料噴射の回数を、通常の圧縮着火モードにおいて設定されている回数よりも増やす。つまり、要求される噴射量の燃料を多数回に分割して噴射するため、１回の噴射当たりの噴射量は相対的に少なくなる。その結果、燃料圧力が高くても、燃料が気筒の内壁面等に付着することが抑制されて、オイル希釈等の問題を回避することが可能になる。
【００３７】
そうして、遷移期間が経過した後は、燃料圧力が十分に低下していることから、燃料噴射の回数は、圧縮着火モードにおいて設定されている回数にしても、オイル希釈等の問題は生じない。
【００３８】
ここでいう「遷移期間」は、前記と同様に、火花点火モードと圧縮着火モードとのモードの切り替えタイミングを含む所定の過渡期間であり、前述した燃料噴射回数の増加制御は、火花点火モードから圧縮着火モードへとモードを変更した後の所定の期間だけ行ってもよい。また、増加制御を、火花点火モードから圧縮着火モードへとモードを変更する直前から開始し、モードが変更された後に終了してもよい。また、「遷移期間」は、燃料圧力が所望の圧力にまで低下するまでの期間と定義することも可能であり、圧縮着火モードから火花点火モードへと移行する際の遷移期間と、火花点火モードから圧縮着火モードへと移行する際の遷移期間と、は、必ずしも同じになるとは限らない。さらに、遷移期間内における噴射回数の増加量は、圧縮着火モードにおいて設定される燃料圧力（目標燃料圧力）と、実際の燃料圧力との偏差に応じて変更する。すなわち、燃料圧力の偏差が小さいほど、燃料が気筒の内壁面等に付着する可能性は低くなり、当該偏差が大きいほど、燃料が気筒の内壁面等に付着する可能性が高くなる。このことから、偏差が小さいほど増加量を減らす一方（例えば、圧縮着火モードで１回の燃料噴射が設定されている場合は、それに１だけ追加した２回の燃料噴射を実行する）、偏差が大きいほど増加量を増やす（例えば、圧縮着火モードで１回の燃料噴射が設定されている場合は、それに２を追加した３回の燃料噴射を実行する）。
【００３９】
前記燃圧可変機構は、前記火花点火モードにおいては、前記燃料圧力を４０ＭＰａ以上に設定する、としてもよい。
【００４０】
４０ＭＰａ以上の燃料圧力は、前述した、噴射期間の短縮、混合気形成期間の短縮、及び、燃焼期間の短縮の全てを有効に実現する。その結果、火花点火モードにおける異常燃焼の回避が実現する。尚、燃料圧力の最大値は、燃料の性状に応じて設定すればよい。一例として、但しこれに限定されないが、燃料圧力の最大値を１２０ＭＰａ程度に設定してもよい。
【００４１】
エンジン本体の幾何学的圧縮比は、１４以上でかつ、例えば２０以下に設定してもよい。
【００４２】
高い圧縮比は、圧縮端圧力及び圧縮端温度を高めるため、圧縮着火燃焼の安定化に寄与する。また、高い圧縮比は、理論熱効率を高める。一方で、高い圧縮比は、エンジン本体の運転領域が低速域内の高負荷域にある火花点火モードでは、異常燃焼が生じやすい。しかしながら、この構成では、前述したように、火花点火モードにおいては、高い燃焼圧力でもって、圧縮行程後期から膨張行程初期にかけてのリタード期間内で、燃料噴射を行うことにより、異常燃焼が効果的に回避される。
【００４３】
前記制御器は、前記圧縮着火モードにおいては、前記リタード期間内の燃料噴射時期よりも進角側のタイミングで燃料を噴射するように、前記燃料噴射弁を駆動すると共に、前記エンジン本体の既燃ガスの一部を前記気筒内に存在させることによって、前記気筒内の混合気を圧縮着火させる、としてもよい。
【００４４】
圧縮着火モードにおいては、燃料の噴射タイミングを進角させることによって、比較的均質なリーン混合気を形成することが可能になると共に、既燃ガスの一部を気筒内に存在させることにより圧縮端温度が高まるから、圧縮着火燃焼の安定化に有利になる。
【００４５】
前記制御器は、前記圧縮着火モードにおいては、前記エンジン本体に取り付けられた吸気弁及び排気弁の少なくとも一方を制御することによって、前記既燃ガスの一部を前記気筒内に実質的に残留させる、としてもよい。
【００４６】
すなわち、圧縮着火燃焼を行うときには、内部ＥＧＲを利用して高温の既燃ガスを気筒内に残留させる。内部ＥＧＲは、圧縮端温度を効率的に高めるため、圧縮着火燃焼の安定化に、より一層有利になる。
【００４７】
前記制御器は、前記火花点火モードにおいては、前記エンジン本体を空燃比λ＝１で運転する、としてもよい。
【００４８】
理論空燃比での運転は、リーン運転と比較して、燃焼期間を短縮する。従って、火花点火モードにおいて、未燃混合気の反応可能時間が短くなって、異常燃焼の回避に有利になる。また、エンジン本体を理論空燃比で運転することは、三元触媒の利用を可能にする。このことから、λ＝１運転は、火花点火モードにおけるエミッション性能の向上に有利になる。
【００４９】
前記エンジンの制御装置は、前記エンジン本体の排気側の既燃ガスの一部を吸気側に還流させるＥＧＲ通路をさらに備え、前記制御器は、少なくとも全開負荷を除く、前記火花点火モードにおいては、前記ＥＧＲ通路を介した排気還流を実行する、としてもよい。
【００５０】
すなわち、エンジン本体の運転状態が、低速域内の、少なくとも全開負荷を除く前記高負荷域にあるときには、外部ＥＧＲを利用してＥＧＲガスを気筒内に導入してもよい。このことは、異常燃焼の回避と共に、Ｒａｗ ＮＯｘの生成を抑制する。また、ポンプ損失や冷却損失の低減による燃費の向上にも寄与する。
【発明の効果】
【００５１】
以上説明したように、この火花点火式ガソリンエンジンの制御装置は、エンジンの負荷に応じて圧縮着火モードと火花点火モードとの切り替えを行うと共に、その火花点火モードでは、高い燃料圧力でもって、圧縮行程後期から膨張行程初期にかけてのリタード期間内のタイミングで燃料噴射を行って、火花点火燃焼を行うことにより、異常燃焼を有効に回避することが可能になる。
【００５２】
そうして、圧縮着火モードから火花点火モードへ移行する際の遷移期間においては、噴射タイミング及び点火タイミングを、設定されているタイミングよりも遅角することで、異常燃焼を回避することが可能になる一方、火花点火モードから圧縮着火モードへ移行する際の遷移期間においては、燃料噴射の回数を、設定されている回数よりも増やすことで、オイル希釈等の問題を回避することが可能になる。
【図面の簡単な説明】
【００５３】
【図１】火花点火式ガソリンエンジンの構成を示す概略図である。
【図２】火花点火式ガソリンエンジンの制御に係るブロック図である。
【図３】燃焼室を拡大して示す断面図である。
【図４】エンジンの運転領域を例示する図である。
【図５】高圧リタード噴射によるＳＩ燃焼の状態と、従来のＳＩ燃焼の状態とを比較する図である。
【図６】未燃混合気反応可能時間と、燃焼終了時期における未燃混合気反応進行度との関係において、高圧リタード噴射によるＳＩ燃焼と従来のＳＩ燃焼との相違を示す図（上段の図）、及び、燃料圧力と、未燃混合気反応可能時間に関係する各パラメータとの関係を示す図（中段及び下段の各図）である。
【図７】点火タイミングと、燃焼終了時期における未燃混合気反応進行度との関係において、高圧リタード噴射によるＳＩ燃焼と従来のＳＩ燃焼との相違を示す図である。
【図８】点火タイミングと、熱効率及びトルクとの関係において、高圧リタード噴射によるＳＩ燃焼と従来のＳＩ燃焼との相違を示す図である。
【図９】高圧リタード噴射によるＳＩ燃焼とＣＩ燃焼との、（ａ）熱発生率（ｄＱ／ｄθ）の相違、（ｂ）筒内圧力上昇率（ｄＰ／ｄθ）の相違を示す図である。
【図１０】エンジンの負荷の相違に対する、吸気弁及び排気弁の動作の相違と、点火タイミング及び噴射タイミングの相違とを示すタイミングチャートである。
【図１１】低負荷域において吸気弁の制御により内部ＥＧＲ量の制御を行いかつ、高負荷域において吸気の絞り制御を行う場合の、（ａ）混合気充填量、（ｂ）スロットル弁開度、（ｃ）ＥＧＲ弁開度、（ｄ）排気弁の二度開きの閉弁タイミング、（ｅ）吸気弁の開弁タイミング、（ｆ）吸気弁の閉弁タイミング、（ｇ）吸気弁のリフト量、の変化の一例をそれぞれ示す図である。
【図１２】低負荷域においてスロットル弁の制御により内部ＥＧＲ量の制御を行いかつ、高負荷域において吸気の絞り制御を行う場合の、図１１対応図である。
【図１３】低負荷域において吸気弁の制御により内部ＥＧＲ量の制御を行いかつ、高負荷域において外部ＥＧＲを利用する場合の、図１１対応図である。
【図１４】低負荷域においてスロットル弁の制御により内部ＥＧＲ量の制御を行いかつ、高負荷域において外部ＥＧＲを利用する場合の、図１１対応図である。
【図１５】低負荷域において内部ＥＧＲ量の制御を行いかつ、高負荷域において吸気の絞りを行う場合の、（ａ）混合気充填量、（ｂ）Ｇ／Ｆ、（ｃ）噴射タイミング、（ｄ）燃料圧力、（ｅ）噴射パルス幅、（ｆ）点火タイミングの変化の一例をそれぞれ示す図である。
【図１６】低負荷域において内部ＥＧＲ量の制御を行いかつ、高負荷域において外部ＥＧＲを利用する場合の、図１５対応図である。
【図１７】ＰＣＭが実行するエンジン制御のフローチャートである。
【図１８】図１７のフローに含まれるステップにおいて算出するパラメータの特性図である。
【発明を実施するための形態】
【００５４】
以下、火花点火式ガソリンエンジンの制御装置の実施形態を図面に基づいて説明する。以下の好ましい実施形態の説明は、例示である。図１，２は、エンジン（エンジン本体）１の概略構成を示す。このエンジン１は、車両に搭載されると共に、少なくともガソリンを含有する燃料が供給される火花点火式ガソリンエンジンである。エンジン１は、複数の気筒１８（一つのみ図示）が設けられたシリンダブロック１１と、このシリンダブロック１１上に配設されたシリンダヘッド１２と、シリンダブロック１１の下側に配設され、潤滑油が貯溜されたオイルパン１３とを有している。各気筒１８内には、コンロッド１４２を介してクランクシャフト１５と連結されているピストン１４が往復動可能に嵌挿されている。ピストン１４の頂面には、図３に拡大して示すように、リエントラント形のようなキャビティ１４１が形成されている。キャビティ１４１は、ピストン１４が圧縮上死点付近に位置するときには、後述する直噴インジェクタ６７に相対する。シリンダヘッド１２と、気筒１８と、キャビティ１４１を有するピストン１４とは、燃焼室１９を区画する。尚、燃焼室１９の形状は、図示する形状に限定されるものではない。例えばキャビティ１４１の形状、ピストン１４の頂面形状、及び、燃焼室１９の天井部の形状等は、適宜変更することが可能である。
【００５５】
このエンジン１は、理論熱効率の向上や、後述する圧縮着火燃焼の安定化等を目的として、１４以上の比較的高い幾何学的圧縮比に設定されている。尚、幾何学的圧縮比は１４以上２０以下程度の範囲で、適宜設定すればよい。
【００５６】
シリンダヘッド１２には、気筒１８毎に、吸気ポート１６及び排気ポート１７が形成されていると共に、これら吸気ポート１６及び排気ポート１７には、燃焼室１９側の開口を開閉する吸気弁２１及び排気弁２２がそれぞれ配設されている。
【００５７】
吸気弁２１及び排気弁２２をそれぞれ駆動する動弁系の内、排気側には、排気弁２２の作動モードを通常モードと特殊モードとに切り替える、例えば油圧作動式の可変機構（図２参照。以下、ＶＶＬ（Variable Valve Lift）と称する）７１が設けられている。ＶＶＬ７１は、その構成の詳細な図示は省略するが、カム山を一つ有する第１カムとカム山を二つ有する第２カムとの、カムプロファイルの異なる２種類のカム、及び、その第１及び第２カムのいずれか一方のカムの作動状態を選択的に排気弁に伝達するロストモーション機構を含んで構成されている。第１カムの作動状態を排気弁２２に伝達しているときには、排気弁２２は、排気行程中において一度だけ開弁される通常モードで作動する（図１０（ｃ）（ｄ）参照）のに対し、第２カムの作動状態を排気弁２２に伝達しているときには、排気弁２２が、排気行程中において開弁すると共に、吸気行程中においても開弁するような、いわゆる排気の二度開きを行う特殊モードで作動する（図１０（ａ）（ｂ）参照）。ＶＶＬ７１の通常モードと特殊モードとは、エンジンの運転状態に応じて切り替えられる。具体的に、特殊モードは、内部ＥＧＲに係る制御の際に利用される。尚、こうした通常モードと特殊モードとの切り替えを可能にする上で、排気弁２２を電磁アクチュエータによって駆動する電磁駆動式の動弁系を採用してもよい。また、内部ＥＧＲの実行は、排気の二度開きのみによって実現されるのではない。例えば吸気弁２１を二回開く、吸気の二度開きによって内部ＥＧＲ制御を行ってもよいし、排気行程乃至吸気行程において吸気弁２１及び排気弁２２の双方を閉じるネガティブオーバーラップ期間を設けて既燃ガスを気筒１８内に残留させる内部ＥＧＲ制御を行ってもよい。
【００５８】
ＶＶＬ７１を備えた排気側の動弁系に対し、吸気側には、図２に示すように、クランクシャフト１５に対する吸気カムシャフトの回転位相を変更することが可能な位相可変機構（以下、ＶＶＴ（Variable Valve Timing）と称する）７２と、吸気弁２１のリフト量を連続的に変更することが可能なリフト量可変機構（以下、ＣＶＶＬ（Continuously Variable Valve Lift）と称する）７３とが設けられている。ＶＶＴ７２は、液圧式、電磁式又は機械式の公知の構造を適宜採用すればよく、その詳細な構造についての図示は省略する。また、ＣＶＶＬ７３も、公知の種々の構造を適宜採用することが可能であり、その詳細な構造についての図示は省略する。ＶＶＴ７２及びＣＶＶＬ７３によって、吸気弁２１は、図１０（ａ）〜（ｄ）に示すように、その開弁タイミング及び閉弁タイミング、並びに、リフト量をそれぞれ変更することが可能である。
【００５９】
シリンダヘッド１２にはまた、気筒１８毎に、気筒１８内に燃料を直接噴射する直噴インジェクタ６７と、吸気ポート１６内に燃料を噴射するポートインジェクタ６８とがそれぞれ取り付けられている。
【００６０】
直噴インジェクタ６７は、図３に拡大して示すように、その噴口が燃焼室１９の天井面の中央部分から、その燃焼室１９内に臨むように配設されている。直噴インジェクタ６７は、エンジン１の運転状態に応じた噴射タイミングでかつ、エンジン１の運転状態に応じた量の燃料を、燃焼室１９内に直接噴射する。この例において、直噴インジェクタ６７は、詳細な図示は省略するが、複数の噴口を有する多噴口型のインジェクタである。これによって、直噴インジェクタ６７は、燃料噴霧が放射状に広がるように、燃料を噴射する。図３に矢印で示すように、ピストン１４が圧縮上死点付近に位置するタイミングで、燃焼室１９の中央部分から放射状に広がるように噴射された燃料噴霧は、ピストン頂面に形成されたキャビティ１４１の壁面に沿って流動することにより、後述する点火プラグ２５の周囲に到達するようになる。キャビティ１４１は、ピストン１４が圧縮上死点付近に位置するタイミングで噴射された燃料噴霧を、その内部に収めるように形成されている、と言い換えることが可能である。この多噴口型のインジェクタ６７とキャビティ１４１との組み合わせは、燃料の噴射後、点火プラグ２５の周りに燃料噴霧が到達するまでの時間を短くすると共に、燃焼期間を短くする上で有利な構成である。尚、直噴インジェクタ６７は、多噴口型のインジェクタに限定されず、外開弁タイプのインジェクタを、直噴インジェクタに採用してもよい。
【００６１】
ポートインジェクタ６８は、図１に示すように、吸気ポート１６乃至吸気ポート１６に連通する独立通路に臨んで配置されかつ、吸気ポート１６内に燃料を噴射する。ポートインジェクタ６８は、一つの気筒１８に対して一つ設けてもよいし、一つの気筒１８に対し二つの吸気ポート１６が設けられているのであれば、二つの吸気ポート１６のそれぞれに設けてもよい。ポートインジェクタ６８の形式は特定の形式の限定されるものではなく、種々の形式のインジェクタを、適宜採用することが可能である。
【００６２】
図外の燃料タンクと直噴インジェクタ６７との間は、高圧燃料供給経路によって互いに連結されている。この高圧燃料供給経路上には、高圧燃料ポンプ６３とコモンレール６４とを含みかつ、直噴インジェクタ６７に、相対的に高い燃料圧力で燃料を供給する高圧燃料供給システム６２が介設されている。高圧燃料ポンプ６３は、燃料タンクからコモンレール６４に燃料を圧送し、コモンレール６４は圧送された燃料を、高い燃料圧力で蓄える。直噴インジェクタ６７が開弁することによって、コモンレール６４に蓄えられている燃料が直噴インジェクタ６７の噴口から噴射される。ここで、高圧燃料ポンプ６３は、図示は省略するが、プランジャー式のポンプであり、例えばクランク軸とカム軸との間のタイミングベルトに連結されることにより、エンジン１によって駆動される。このエンジン駆動のポンプを含む構成の高圧燃料供給システム６２は、４０ＭＰａ以上の高い燃料圧力の燃料を、直噴インジェクタ６７に供給することを可能にする。直噴インジェクタ６７に供給される燃料の圧力は、後述するように、エンジン１の運転状態に応じて変更される。尚、高圧燃料供給システム６２は、これに限定されるものではない。
【００６３】
同様に、図外の燃料タンクとポートインジェクタ６８との間は、低圧燃料供給経路によって互いに連結されている。この低圧燃料供給経路上には、ポートインジェクタ６８に対し、相対的に低い燃料圧力の燃料を供給する低圧燃料供給システム６６が介設されている。低圧燃料供給システム６６は、詳細な図示は省略するが、電動又はエンジン駆動の低圧燃料ポンプとレギュレータとを備えており、所定圧力の燃料を、各ポートインジェクタ６８に供給するように構成されている。ポートインジェクタ６８は、吸気ポートに燃料を噴射するため、低圧燃料供給システム６６が供給する燃料の圧力は、高圧燃料供給システム６２が供給する燃料の圧力に比べて、低い圧力に設定されている。
【００６４】
シリンダヘッド１２にはまた、燃焼室１９内の混合気に点火する点火プラグ２５が取り付けられている。点火プラグ２５は、エンジン１の排気側から斜め下向きに延びるように、シリンダヘッド１２内を貫通して配置されている。図３に示すように、点火プラグ２５の先端は、燃焼室１９の中央部分に配置された直噴インジェクタ６７の先端近傍で、燃焼室１９内に臨んで配置されている。
【００６５】
エンジン１の一側面には、各気筒１８の吸気ポート１６に連通するように吸気通路３０が接続されている。一方、エンジン１の他側面には、各気筒１８の燃焼室１９からの既燃ガス（排気ガス）を排出する排気通路４０が接続されている。
【００６６】
吸気通路３０の上流端部には、吸入空気を濾過するエアクリーナ３１が配設されている。また、吸気通路３０における下流端近傍には、サージタンク３３が配設されている。このサージタンク３３よりも下流側の吸気通路３０は、各気筒１８毎に分岐する独立通路とされ、これら各独立通路の下流端が各気筒１８の吸気ポート１６にそれぞれ接続されている。
【００６７】
吸気通路３０におけるエアクリーナ３１とサージタンク３３との間には、空気を冷却又は加熱する、水冷式のインタークーラ／ウォーマ３４と、各気筒１８への吸入空気量を調節するスロットル弁３６とが配設されている。吸気通路３０にはまた、インタークーラ／ウォーマ３４をバイパスするインタークーラバイパス通路３５が接続されており、このインタークーラバイパス通路３５には、当該通路３５を通過する空気流量を調整するためのインタークーラバイパス弁３５１が配設されている。インタークーラバイパス弁３５１の開度調整を通じて、インタークーラバイパス通路３５の通過流量とインタークーラ／ウォーマ３４の通過流量との割合を調整することにより、気筒１８に導入する新気の温度を調整する。
【００６８】
排気通路４０の上流側の部分は、各気筒１８毎に分岐して排気ポート１７の外側端に接続された独立通路と該各独立通路が集合する集合部とを有する排気マニホールドによって構成されている。この排気通路４０における排気マニホールドよりも下流側には、排気ガス中の有害成分を浄化する排気浄化装置として、直キャタリスト４１とアンダーフットキャタリスト４２とがそれぞれ接続されている。直キャタリスト４１及びアンダーフットキャタリスト４２はそれぞれ、筒状ケースと、そのケース内の流路に配置した、例えば三元触媒とを備えて構成されている。
【００６９】
吸気通路３０におけるサージタンク３３とスロットル弁３６との間の部分と、排気通路４０における直キャタリスト４１よりも上流側の部分とは、排気ガスの一部を吸気通路３０に還流するためのＥＧＲ通路５０を介して接続されている。このＥＧＲ通路５０は、排気ガスをエンジン冷却水によって冷却するためのＥＧＲクーラ５２が配設された主通路５１と、ＥＧＲクーラ５２をバイパスするためのＥＧＲクーラバイパス通路５３と、を含んで構成されている。主通路５１には、排気ガスの吸気通路３０への還流量を調整するためのＥＧＲ弁５１１が配設され、ＥＧＲクーラバイパス通路５３には、ＥＧＲクーラバイパス通路５３を流通する排気ガスの流量を調整するためのＥＧＲクーラバイパス弁５３１が配設されている。
【００７０】
このように構成されたエンジン１は、パワートレイン・コントロール・モジュール（以下、ＰＣＭという）１０によって制御される。ＰＣＭ１０は、ＣＰＵ、メモリ、カウンタタイマ群、インターフェース及びこれらのユニットを接続するパスを有するマイクロプロセッサで構成されている。このＰＣＭ１０が制御器を構成する。
【００７１】
ＰＣＭ１０には、図１，２に示すように、各種のセンサＳＷ１〜ＳＷ１６の検出信号が入力される。この各種のセンサには、次のセンサが含まれる。すなわち、エアクリーナ３１の下流側で、新気の流量を検出するエアフローセンサＳＷ１及び新気の温度を検出する吸気温度センサＳＷ２、インタークーラ／ウォーマ３４の下流側に配置されかつ、インタークーラ／ウォーマ３４を通過した後の新気の温度を検出する、第２吸気温度センサＳＷ３、ＥＧＲ通路５０における吸気通路３０との接続部近傍に配置されかつ、外部ＥＧＲガスの温度を検出するＥＧＲガス温センサＳＷ４、吸気ポート１６に取り付けられかつ、気筒１８内に流入する直前の吸気の温度を検出する吸気ポート温度センサＳＷ５、シリンダヘッド１２に取り付けられかつ、気筒１８内の圧力を検出する筒内圧センサＳＷ６、排気通路４０におけるＥＧＲ通路５０の接続部近傍に配置されかつ、それぞれ排気温度及び排気圧力を検出する排気温センサＳＷ７及び排気圧センサＳＷ８、直キャタリスト４１の上流側に配置されかつ、排気中の酸素濃度を検出するリニアＯ２センサＳＷ９、直キャタリスト４１とアンダーフットキャタリスト４２との間に配置されかつ、排気中の酸素濃度を検出するラムダＯ２センサＳＷ１０、エンジン冷却水の温度を検出する水温センサＳＷ１１、クランクシャフト１５の回転角を検出するクランク角センサＳＷ１２、車両のアクセルペダル（図示省略）の操作量に対応したアクセル開度を検出するアクセル開度センサＳＷ１３、吸気側及び排気側のカム角センサＳＷ１４，ＳＷ１５、及び、高圧燃料供給システム６２のコモンレール６４に取り付けられかつ、直噴インジェクタ６７に供給する燃料圧力を検出する燃圧センサＳＷ１６である。
【００７２】
ＰＣＭ１０は、これらの検出信号に基づいて種々の演算を行うことによってエンジン１や車両の状態を判定し、これに応じて直噴インジェクタ６７、ポートインジェクタ６８、点火プラグ２５、吸気弁側のＶＶＴ７２及びＣＶＶＬ７３、排気弁側のＶＶＬ７１、高圧燃料供給システム６２、並びに、各種の弁（スロットル弁３６、インタークーラバイパス弁３５１、ＥＧＲ弁５１１、及びＥＧＲクーラバイパス弁５３１）のアクチュエータへ制御信号を出力する。こうしてＰＣＭ１０は、エンジン１を運転する。
【００７３】
図４は、エンジン１の運転領域の一例を示している。このエンジン１は、燃費の向上や排気エミッションの向上を目的として、エンジン負荷が相対的に低い低負荷域では、点火プラグ２５による点火を行わずに、圧縮自己着火によって燃焼を行う圧縮着火燃焼を行う。しかしながら、エンジン１の負荷が高くなるに従って、圧縮着火燃焼では、燃焼が急峻になりすぎてしまい、例えば燃焼騒音等の問題を引き起こすことになる。そのため、このエンジン１では、エンジン負荷が相対的に高い高負荷域では、圧縮着火燃焼を止めて、点火プラグ２５を利用した火花点火燃焼に切り替える。また、エンジン１の回転数が高くなるに従って反応時間が足りなくなり、圧縮着火し難くなる、又は、圧縮着火しなくなる。そこで、このエンジン１では、相対的に低負荷域内であっても、高速域においては、火花点火燃焼を行う。従って、このエンジン１は、エンジン１の運転状態に応じて、圧縮着火燃焼を行うＣＩ（Compression Ignition）モードと、火花点火燃焼を行うＳＩ（Spark Ignition）モードとを切り替えるように構成されており、ＣＩモードとＳＩモードとの燃焼モード切り替えの境界線は、図４に示すエンジン回転数とエンジン負荷のマップにおいて右下がりに設定される。但し、モード切り替えの境界線は、図例に限定されるものではない。
【００７４】
詳しくは後述するが、ＣＩモードでは基本的に、例えば吸気行程乃至圧縮行程中の、比較的早いタイミングで、直噴インジェクタ６７が気筒１８内に燃料を噴射することにより、比較的均質なリーン混合気を形成すると共に、その混合気を圧縮上死点付近において圧縮自己着火させる。これに対し、ＳＩモードでは基本的に、例えば吸気行程乃至圧縮行程中に、直噴インジェクタ６７が気筒１８内に燃料を噴射することにより、均質乃至成層化した混合気を形成すると共に、圧縮上死点付近において点火を実行することによってその混合気に着火する。ＳＩモードではまた、理論空燃比（λ＝１）でエンジン１を運転する。これは、三元触媒の利用を可能にするから、エミッション性能の向上に有利になる。
【００７５】
このエンジン１の幾何学的圧縮比は、前述の通り、１４以上（例えば１８）に設定されている。高い圧縮比は、圧縮端温度及び圧縮端圧力を高くするため、ＣＩモードでは、圧縮着火燃焼の安定化に有利になる。一方で、この高圧縮比エンジン１は、高負荷域においてはＳＩモードに切り替えるため、特に低速域内において、エンジン負荷が高くなればなるほど、過早着火やノッキングといった異常燃焼が生じやすくなってしまうという不都合がある（図４の白抜きの矢印参照）。
【００７６】
そこでこのエンジン１では、エンジンの運転状態が低速域内の高負荷域にあるときには、燃料の噴射形態を従来とは大きく異ならせたＳＩ燃焼を実行することによって、異常燃焼を回避するようにしている。具体的に、この燃料の噴射形態は、従来と比較して大幅に高圧化した燃料圧力でもって、圧縮行程後期から膨張行程初期にかけての大幅に遅角した期間（以下、この期間をリタード期間と呼ぶ）内で、直噴インジェクタ６７によって、気筒１８内に燃料噴射を実行するものである。この特徴的な燃料噴射形態を、以下においては「高圧リタード噴射」と呼ぶ。
【００７７】
図５は、前述した高圧リタード噴射によるＳＩ燃焼（実線）と、吸気行程中に燃料噴射を実行する従来のＳＩ燃焼（破線）とにおける、熱発生率（上図）及び未燃混合気反応進行度（下図）の違いを比較する図である。図５の横軸は、クランク角である。この比較の前提として、エンジン１の運転状態は共に低速域内の高負荷域であり、噴射する燃料量は、高圧リタード噴射によるＳＩ燃焼と従来のＳＩ燃焼との場合で互いに同じである。
【００７８】
先ず、従来のＳＩ燃焼では、吸気行程中に気筒１８内に所定量の燃料噴射を実行する（上図の破線）。気筒１８内では、その燃料の噴射後、ピストン１４が圧縮上死点に至るまでの間に、比較的均質な混合気が形成される。そして、この例では、圧縮上死点以降の、白丸で示す所定タイミングで点火が実行され、それによって燃焼が開始する。燃焼の開始後は、図５の上図に破線で示すように、熱発生率のピークを経て燃焼が終了する。ここで、燃料噴射の開始から燃焼の終了までの間が未燃混合気の反応可能時間（以下、単に反応可能時間という場合がある）に相当し、図５の下図に破線で示すように、この間に未燃混合気の反応は次第に進行する。同図における点線は、未燃混合気が着火に至る反応度である、着火しきい値を示しており、従来のＳＩ燃焼は反応可能時間が非常に長く、その間、未燃混合気の反応が進行し続けてしまうことから、点火の前後に未燃混合気の反応度が着火しきい値を超えてしまい、過早着火又はノッキングといった異常燃焼を引き起こす。
【００７９】
これに対し、高圧リタード噴射は反応可能時間の短縮を図り、そのことによって異常燃焼を回避することを目的とする。すなわち、反応可能時間は、図５にも示しているように、直噴インジェクタ６７が燃料を噴射する期間（（１）噴射期間）と、噴射終了後、点火プラグ２５の周りに可燃混合気が形成されるまでの期間（（２）混合気形成期間）と、点火によって開始された燃焼が終了するまでの期間（（３）燃焼期間）と、を足し合わせた時間、つまり、（１）＋（２）＋（３）である。高圧リタード噴射は、噴射期間、混合気形成期間及び燃焼期間をそれぞれ短縮し、それによって、反応可能時間を短くする。このことについて、順に説明する。
【００８０】
先ず、高い燃料圧力は、単位時間当たりに直噴インジェクタ６７から噴射される燃料量を相対的に多くする。このため、図６の中段に（１）で示す図のように、燃料噴射量を一定とした場合に、燃料圧力と燃料の噴射期間との関係は概ね、燃料圧力が低いほど噴射期間は長くなり、燃料圧力が高いほど噴射期間は短くなる。従って、燃料圧力が従来に比べて大幅に高く設定された高圧リタード噴射は、噴射期間を短縮する。
【００８１】
また、高い燃料圧力は、気筒１８内に噴射する燃料噴霧の微粒化に有利になると共に、燃料噴霧の飛翔距離を、より長くする。このため、図６の下段に（Ａ）で示す図のように、燃料圧力と燃料蒸発時間との関係は概ね、燃料圧力が低いほど燃料蒸発時間は長くなり、燃料圧力が高いほど燃料蒸発時間は短くなる。また、図６の下段に（Ｂ）で示す図のように、燃料圧力と点火プラグ２５の周りに燃料噴霧が到達するまでの時間は概ね、燃料圧力が低いほど到達までの時間は長くなり、燃料圧力が高いほど到達までの時間は短くなる。尚、点火プラグ２５の周りに燃料噴霧が到達するまでの時間は、直噴インジェクタ６７の先端から点火プラグ２５までの噴霧飛翔距離と、燃料圧力に比例する燃料噴射速度と、から算出可能である。混合気形成期間は、燃料蒸発時間と、点火プラグ２５の周りへの燃料噴霧到達時間とを足し合わせた時間（（Ａ）＋（Ｂ））であるから、図６の中段に（２）で示す図のように、燃料圧力が高いほど混合気形成期間は短くなる。従って、燃料圧力が従来に比べて大幅に高く設定された高圧リタード噴射は、燃料蒸発時間及び点火プラグ２５の周りへの燃料噴霧到達時間がそれぞれ短くなる結果、混合気形成期間を短縮する。これに対し、同図に白丸で示すように、従来の、低い燃料圧力での吸気行程噴射は、混合気形成期間が大幅に長くなる。尚、前述したように、多噴口型のインジェクタ６７とキャビティ１４１との組み合わせは、燃料の噴射後、点火プラグ２５の周りに燃料噴霧が到達するまでの時間を短くする結果、混合気形成期間の短縮に有効である。
【００８２】
このように、噴射期間及び混合気形成期間を短縮することは、燃料の噴射タイミング、より正確には、噴射開始タイミングを、比較的遅いタイミングにすることを可能にする。そこで、高圧リタード噴射では、図５の上図に示すように、圧縮行程後期から膨張行程初期にかけてのリタード期間内に燃料噴射を行う。高い燃料圧力で気筒１８内に燃料を噴射することに伴い、その気筒内の乱れが強くなり、気筒１８内の乱れエネルギが高まるが、この高い乱れエネルギは、燃料噴射のタイミングが比較的遅いタイミングに設定されることと相俟って、燃焼期間の短縮に有利になる。
【００８３】
すなわち、図６の下段に（Ｄ）で示す図のように、燃料噴射をリタード期間内に行った場合、燃料圧力と燃焼期間内での乱流エネルギとの関係は概ね、燃料圧力が低いほど乱流エネルギが低くなり、燃料圧力が高いほど乱流エネルギは高くなる。尚、同図に破線で示す線は、燃料噴射を吸気行程中に行った場合の例である。仮に高い燃料圧力で気筒１８内に燃料を噴射するとしても、その噴射タイミングが吸気行程中にある場合は、点火タイミングまでの時間が長いことや、吸気行程後の圧縮行程において気筒１８内が圧縮されることに起因して、気筒１８内の乱れは減衰してしまう。その結果、吸気行程中に燃料噴射を行った場合、燃焼期間内での乱流エネルギは、燃料圧力の高低に拘わらず比較的低くなってしまう。
【００８４】
図６の下段に（Ｃ）で示す図のように、燃焼期間での乱流エネルギと燃焼期間との関係は概ね、乱流エネルギが低いほど燃焼期間が長くなり、乱流エネルギが高いほど燃焼期間が短くなる。従って、図６の（Ｃ）（Ｄ）から、燃料圧力と燃焼期間との関係は、図６の中段に（３）で示す図のように、燃料圧力が低いほど燃焼期間は長くなり、燃料圧力が高いほど燃焼期間は短くなる。すなわち、高圧リタード噴射は、燃焼期間を短縮する。これに対し、同図に白丸で示すように、従来の、低い燃料圧力での吸気行程噴射は、燃焼期間が長くなる。尚、多噴口型のインジェクタ６７は、気筒１８内の乱れエネルギの向上に有利であって、燃焼期間の短縮に有効であると共に、その多噴口型のインジェクタ６７とキャビティ１４１との組み合わせによって、燃料噴霧をキャビティ１４１内に収めることもまた、燃焼期間の短縮に有効である。
【００８５】
図６の（３）の図に示す燃料圧力と燃焼期間との関係から、言い換えると、その曲線形状から、燃料圧力を例えば４０ＭＰａ以上に設定することによって、燃焼期間を効果的に短縮化することが可能である。また、４０ＭＰａ以上の燃料圧力は、噴射期間及び混合気形成期間も、それぞれ有効に短縮化することが可能である。尚、燃料圧力は、少なくともガソリンを含有する、使用燃料の性状に応じて適宜設定するのが好ましい。その上限値は、一例として、１２０ＭＰａとしてもよい。
【００８６】
このように高圧リタード噴射は、噴射期間、混合気形成期間、及び、燃焼期間をそれぞれ短縮し、その結果、図５に示すように、燃料の噴射開始タイミングＳＯＩから燃焼終了時期θｅｎｄまでの、未燃混合気の反応可能時間を、従来の吸気行程中での燃料噴射の場合と比較して大幅に短くすることを可能にする。この反応可能時間を短縮する結果、図６の上段に示す図のように、従来の低い燃料圧力での吸気行程噴射では、白丸で示すように、燃焼終了時における未燃混合気の反応進行度が、着火しきい値を超えてしまい、異常燃焼が発生してしまうところ、高圧リタード噴射は、黒丸で示すように、燃焼終了時における未燃混合気の反応の進行を抑制し、異常燃焼を回避することが可能になる。尚、図６の上図における白丸と黒丸とで、点火タイミングは互いに同じタイミングに設定している。
【００８７】
高圧リタード噴射は、気筒１８内への燃料噴射の形態を工夫することによって異常燃焼を回避する。これとは異なり、異常燃焼の回避を目的として点火タイミングを遅角することが、従来から知られている。点火タイミングの遅角化は、未燃混合気の温度及び圧力の上昇を抑制することによって、その反応の進行を抑制するのである。図７は、点火タイミングと燃焼終了時期における未燃混合気の反応進行度との関係を示している。同図における破線は、従来の吸気行程噴射を行うＳＩ燃焼の場合であり、実線は、高圧リタード噴射を行うＳＩ燃焼の場合である。前述したように、点火タイミングの遅角化は未燃混合気の反応の進行を抑制するため、実線及び破線はそれぞれ右下がりになる。また、高圧リタード噴射は、前述したように、燃料噴射によって未燃混合気の反応の進行を抑制するから、同一の点火タイミングで比較した場合、従来の吸気行程噴射を行うＳＩ燃焼は、高圧リタード噴射を行うＳＩ燃焼よりも、未燃混合気の反応が進行してしまう。つまり、破線は、実線よりも上方に位置することになる。このため、従来の吸気行程噴射を行う場合（白丸）は、高圧リタード噴射を行う場合（黒丸）よりも点火タイミングを遅角しなければ、未燃混合気の反応進行度が着火しきい値を超えてしまうことになる。このことを言い換えると、高圧リタード噴射を行う場合は、従来の吸気行程噴射を行う場合よりも点火タイミングを進角させることが可能である。
【００８８】
また、図８は、点火タイミングと熱効率及びトルクとの関係を示す図である。熱効率及びトルクが最大になる点火タイミングは圧縮上死点付近であり、それよりも点火タイミングが遅角すればするほど熱効率及びトルクは低下する。前述したように、吸気行程噴射を行う場合は、白丸で示すように、点火タイミングを遅くしなければならないのに対し、高圧リタード噴射を行う場合は、黒丸で示すように、点火タイミングを進角させることによって圧縮上死点に近づけることが可能であるから、熱効率及びトルクが向上する。つまり、高圧リタード噴射は、異常燃焼を回避するだけでなく、その回避可能な分だけ、点火タイミングを進角することを可能にして、燃費の向上に有利になる。
【００８９】
ここで、高圧リタード噴射によるＳＩ燃焼の特徴について、図９を参照しながら簡単に説明する。図９（ａ）は、クランク角に対する熱発生率（ｄＱ／ｄθ）の変化を示す図、（ｂ）は、クランク角に対する筒内圧力上昇率（ｄＰ／ｄθ）の変化を示す図である。同図における実線は、高圧リタード噴射によるＳＩ燃焼を行った場合を示し、同図における破線は、圧縮着火燃焼（ＣＩ燃焼）を行った場合を示している。尚、エンジン１の運転状態は低速域内の高負荷域にある。先ず、ＣＩ燃焼は、同図（ａ）に示すように、燃焼が急峻になって燃焼期間が極めて短くなる。また、同図（ｂ）に示すように筒内圧力のピークが高くなりすぎて許容値を超えてしまい、燃焼騒音の問題が生じる。つまり、このことは、エンジン１の運転状態が低速域内の高負荷域にあるときはＣＩ燃焼を行うことができないことを示している。
【００９０】
これに対し、高圧リタード噴射によるＳＩ燃焼は、同図（ａ）に示すように、大きな熱発生率と適当な燃焼期間とが確保されて十分なトルクが得られる一方で、同図（ｂ）に示すように筒内圧力のピークは許容値よりも低くなり、燃焼騒音の発生を回避することができる。すなわち、エンジン１の運転状態が低速域内の高負荷域にあるときは、高圧リタード噴射によるＳＩ燃焼が極めて有効である。
【００９１】
次に、図１０を参照しながら、エンジン１の運転状態に対応した、吸気弁２１及び排気弁２２の作動状態、並びに、燃料噴射タイミング及び点火タイミングの制御例について説明する。ここで、図１０の（ａ）（ｂ）（ｃ）（ｄ）はそれぞれ、基本的には、エンジン１の運転状態が低速域内にあり、（ａ）＜（ｂ）＜（ｃ）＜（ｄ）の順にエンジン負荷が高くなる。（ａ）（ｂ）は、ＣＩモードに対応する低負荷域であり、（ｃ）は、ＳＩモードに対応する高負荷域である。（ｄ）は、ＳＩモードに対応する全開負荷域である。尚、（ｄ）は、エンジン１の運転領域が、高負荷域内の中速域にある場合にも対応する。
【００９２】
先ず、図１０（ａ）は、エンジン１の運転状態が低速域内の低負荷域にあるときを示す。この運転領域はＣＩモードであるため、ＶＶＬ７１の制御によって、排気弁２２を吸気行程中に開弁する排気の二度開きを行い（同図のＥｘ２の実線を参照。尚、実線は排気弁２２のリフトカーブを、破線は吸気弁２１のリフトカーブをそれぞれ示す）、そのことによって内部ＥＧＲガスを気筒１８内に導入する。内部ＥＧＲガスの導入は圧縮端温度を高め、圧縮着火燃焼を安定化させる。燃料噴射のタイミングは吸気行程中に設定され、直噴インジェクタ６７が気筒１８内に燃料を噴射することによって気筒１８内に均質なリーン混合気を形成する。尚、燃料噴射量は、エンジン１の負荷に応じて設定される。
【００９３】
図１０（ｂ）もまた、エンジン１の運転状態が低速域内の低負荷域にあるときを示す。但し、図１０（ｂ）は、同図（ａ）よりもエンジン負荷が高い。この運転領域もまた、ＣＩモードであるため、前記と同様に、ＶＶＬ７１の制御によって、排気の二度開きを行い、内部ＥＧＲガスを気筒１８内に導入する。但し、エンジン負荷の上昇に伴い気筒１８内の温度が自然と高まることから、過早着火を回避する観点から、内部ＥＧＲ量は低下させる。図１０に例示するように、ＣＶＶＬ７３の制御によって、吸気弁２１のリフト量を調整することにより、内部ＥＧＲ量を調整してもよい。尚、図１０には図示しないが、スロットル弁３６の開度調整によって、内部ＥＧＲ量を調整してもよい。また、燃料噴射のタイミングは、吸気行程乃至圧縮行程中の適宜のタイミングに設定される。このタイミングで、直噴インジェクタ６７が気筒１８内に燃料を噴射することにより、気筒１８内に均質乃至成層化したリーン混合気を形成する。燃料噴射量がエンジン１の負荷に応じて設定される点は、図１０（ａ）と同様である。
【００９４】
尚、図１０（ａ）（ｂ）においては、吸気行程中における排気弁２２の開弁期間を、その吸気行程の前半に設定している例を示している。排気弁２２の開弁期間は、吸気行程の後半に設定してもよい。また、開弁期間を吸気行程の前半に設定する場合は、排気上死点を挟んだ排気行程から吸気行程の前半にかけて、排気弁２２を開弁したままに構成してもよい。
【００９５】
図１０（ｃ）は、エンジン１の運転状態が低速域内の高負荷域にあるときを示す。この運転領域はＳＩモードであり、この運転領域においては、排気弁２２の二度開きを中止する。また、ＳＩモードでは、空燃比λ＝１となるように充填量が調整される。充填量の調整は、スロットル弁３６を全開にする一方で、ＶＶＴ７２及びＣＶＶＬ７３の制御によって、吸気弁２１の閉弁タイミングを吸気下死点以降に設定する、吸気弁２１の遅閉じによって行ってもよい。これは、ポンプ損失の低減に有利である。充填量の調整はまた、スロットル弁３６を全開にする一方で、ＥＧＲ弁５１１の開度調整により、気筒１８内に導入する新気量と外部ＥＧＲガス量とを調整することによって行ってもよい。これは、ポンプ損失の低減と共に、冷却損失の低減にも有効である。また、外部ＥＧＲガスの導入は、異常燃焼の回避に寄与すると共に、Ｒａｗ ＮＯｘの生成を抑制するという利点もある。さらに、充填量の調整として、吸気弁２１の遅閉じ制御と、外部ＥＧＲの制御とを組み合わせてもよい。特に、高負荷域内における低負荷側においては、ＥＧＲ率が高すぎてしまうことを抑制すべく、外部ＥＧＲを気筒１８内に導入しつつ、吸気弁２１の遅閉じ制御によって充填量を調整してもよい。
【００９６】
また、燃料噴射の形態は、前述した高圧リタード噴射である。従って、圧縮行程後期から膨張行程初期にかけてのリタード期間内に、高い燃料圧力でもって、直噴インジェクタ６７が燃料を気筒１８内に直接、噴射する。高圧リタード噴射は、一回の噴射によって構成してもよい（つまり、一括噴射）が、図１０（ｃ）に示すように、第１噴射と、その後の第２噴射との二回の噴射を、リタード期間内において行うように構成してもよい（つまり、分割噴射）。第１噴射は、相対的に長い混合気形成期間を確保することができるため、燃料の気化霧化に有利である。第１噴射によって十分な混合気形成期間が確保される分、第２噴射の噴射タイミングは、より一層遅角したタイミングに設定することが可能になる。このことは、気筒内の乱れエネルギの向上に有利になり、燃焼期間の短縮に有利になる。分割噴射を行う場合は、第２噴射の燃料噴射量を、第１噴射の燃料噴射量よりも大に設定することが好ましい。こうすることで、気筒１８内の乱れエネルギが十分に高まり、燃焼期間の短縮、ひいては異常燃焼の回避に有利になる。尚、こうした分割噴射は、高負荷域内において、燃料噴射量が多くなる相対的に高負荷側でのみ行い、燃料噴射量が比較的少ない、高負荷域内の低負荷側では、一括噴射を行うようにしてもよい。また、分割回数は２回に限定されず、３回以上に設定してもよい。
【００９７】
そうして、ＳＩモードでは、燃料噴射終了後の、圧縮上死点付近において、点火プラグ２５による点火が実行される。
【００９８】
図１０（ｄ）は、エンジン１の運転状態が低速域内の全開負荷域にあるときを示す。この運転領域は、図１０（ｃ）と同様に、ＳＩモードであり、排気弁２２の二度開きを中止する。また、全開負荷域であるため、ＥＧＲ弁５１１を閉弁することにより、外部ＥＧＲも中止する。
【００９９】
燃料噴射の形態は、基本的には高圧リタード噴射であり、図に示すように、第１噴射と第２噴射との、リタード期間内における、気筒１８内への二回の噴射によって構成される。尚、高圧リタード噴射は、一括噴射であってもよい。また、この全開負荷域においては、吸気充填効率の向上を目的として、吸気行程中の噴射が追加される場合がある。この吸気行程噴射は、燃料噴射に伴う吸気の冷却効果によって吸気充填効率が向上し、トルクの向上に有利になる。従って、エンジン１の運転状態が低速域内の全開負荷域にあるときは、吸気行程噴射と、第１及び第２噴射との三回の燃料噴射が実行される、又は、吸気行程噴射と、一括噴射との二回の燃料噴射が実行される。
【０１００】
ここで、前述の通り、直噴インジェクタ６７によって気筒１８内に燃料を直接噴射する高圧リタード噴射は、燃料圧力が極めて高い。そのため、そうした高い燃料圧力でもって、吸気行程中に、気筒１８内に直接燃料を噴射してしまうと、気筒１８内の壁面に燃料が大量に付着して、オイル希釈等の問題を引き起こす可能性がある。そこで、この吸気行程噴射は、直噴インジェクタ６７ではなく、相対的に低い燃料圧力でもって燃料を噴射するポートインジェクタ６８を通じて、吸気ポート１６内に燃料を噴射する。こうすることで、前述したオイル希釈等の問題が回避される。
【０１０１】
また、前述の通り、図１０（ｄ）は、エンジン１の運転領域が、高負荷域内の中速域にある場合にも対応する。エンジン１の運転状態が中速域にあるときには、気筒１８内の流動が低速域と比較して強くなると共に、クランク角の変化に対する実時間が短くなるから、異常燃焼の回避に有利になる。そのため、圧縮行程後期から膨張行程初期にかけてのリタード期間内に行う高圧リタード噴射の噴射量を減じても、異常燃焼を回避し得る。そこで、エンジン１の運転状態が、高負荷域内の中速域にあるときには、高圧リタード噴射の燃料噴射量を減らし、その分を、吸気行程中に噴射する吸気行程噴射に割り振る。こうすることによって、前述と同様に、吸気充填効率が向上する結果、トルク向上に有利になる。従って、エンジン１の運転状態が、高負荷域内の中速域にあるときには、異常燃焼の回避と、トルクの向上とが両立する。尚、エンジン１の運転状態が、低速域内の高負荷域（正確には全開負荷域）にあるときと、高負荷域内の中速域にあるときとを比較した場合、言い換えると、高負荷域内において、低速域と中速域とを比較した場合に、吸気行程噴射の燃料噴射量は、中速域にあるときは、低速域にあるときよりも、増量する場合がある。
【０１０２】
図１１〜図１４は、低速域内における負荷の変動に対するエンジン１の各パラメータ、つまり、（ｂ）スロットル弁３６の開度、（ｃ）ＥＧＲ弁５１１の開度、（ｄ）排気弁２２の二度開きの閉弁タイミング、（ｅ）吸気弁２１の開弁タイミング、（ｆ）吸気弁２１の閉弁タイミング、及び、（ｇ）吸気弁のリフト量それぞれの制御例を示している。
【０１０３】
図１１（ａ）は、気筒１８内の状態を示している。同図は、横軸をトルク（言い換えるとエンジン負荷）、縦軸を気筒内の混合気充填量として、気筒内の混合気の構成を示している。前述の通り、相対的に負荷の低い、図の左側の領域はＣＩモードとなり、所定負荷よりも負荷が高い、図の右側の領域はＳＩモードとなる。燃料量（総括燃料量）は、ＣＩモード及びＳＩモードに拘わらず、負荷の増大に従って増量される。この燃料量に対して、理論空燃比（λ＝１）となるための新気量が設定されることとなり、この新気量は、負荷の増大に対し、燃料量の増量に伴って増量することになる。
【０１０４】
ＣＩモードにおいては、前述の通り、内部ＥＧＲガスが気筒１８内に導入されることから、充填量の残り分は、内部ＥＧＲガスと余剰の新気とによって構成される。従って、ＣＩモードでは、リーン混合気となる。
【０１０５】
一方、ＳＩモードにおいてはλ＝１となるようにエンジン１が運転されると共に、内部ＥＧＲガスの導入が中止される。制御例の一つとして、図１１では、ＳＩモードにおける気筒１８内への充填量を減らすようにしており、図１１では特に、ＳＩモードにおいては、吸気弁２１の閉弁タイミングを調整することによって、充填量を制御する。
【０１０６】
気筒１８内の状態が、図１１（ａ）に示すような状態となるように、スロットル弁３６は、同図（ｂ）に示すように、エンジン１の負荷の高低に拘わらず全開に設定され、ＥＧＲ弁５１１は、同図（ｃ）に示すように、エンジン１の負荷の高低に拘わらず、全閉に設定される。この制御は、ポンプ損失の低減に有利になる。
【０１０７】
図１１（ｄ）は、排気弁２２の二度開き時の閉弁タイミングを示している。ＣＩモードでは、前述の通り、内部ＥＧＲガスを気筒１８内に導入すべく、その閉弁タイミングが排気上死点と吸気下死点との間の、所定タイミングに設定される。一方、ＳＩモードでは、その閉弁タイミングが排気上死点に設定される。つまり、ＳＩモードでは、排気の二度開きが中止される結果、内部ＥＧＲの制御が中止される。
【０１０８】
このように、ＣＩモードにおいて所定の閉弁タイミングに設定される排気弁２２の二度開きに対して、図１１（ｅ）に示すように、吸気弁２１の開弁タイミングが、エンジン１の負荷が高くなるほど排気上死点に近づくように進角される。従って、エンジン１の負荷が低いほど、気筒１８内に導入される内部ＥＧＲガスが増量するのに対し、エンジン１の負荷が高くなればなるほど、気筒１８内に導入される内部ＥＧＲガスは減少する。エンジン１の負荷が低いほど、大量の内部ＥＧＲガスによって気筒１８内の圧縮端温度が高まるため、安定した圧縮着火燃焼を実現する上で有利になる。一方、エンジン１の負荷が高いほど、内部ＥＧＲガスを抑制することで気筒１８内の圧縮端温度の上昇を抑制するため、過早着火を抑制する上で有利になる。尚、ＳＩモードでは、吸気弁２１の開弁タイミングは、排気上死点よりもさらに進角され、その進角量は、エンジン負荷の増大に伴い大きくなる。
【０１０９】
一方、図１１（ｆ）に示すように、吸気弁２１の閉弁タイミングは、ＣＩモードにおいては吸気下死点で一定にされる。一方、ＳＩモードにおいて、吸気弁２１の閉弁タイミングは、吸気下死点よりも遅角される。その遅角量は、エンジン１の負荷が相対的に低負荷のときに大になり、相対的に高負荷のときに小になるように、エンジン負荷の増大に伴い、遅角量が次第に小さくなるように設定される。こうしてＳＩモードでは、吸気弁２１の遅閉じ制御によって、充填量を減らしている。尚、吸気弁２１の遅閉じ制御に代えて、ＳＩモードにおいてスロットル弁３６の開度調整を行うことによって、充填量を減らしてもよい。
【０１１０】
さらに、図１１（ｇ）に示すように、吸気弁２１のリフト量は、ＣＩモードにおいては、エンジン負荷の増大に伴い、最小リフト量から次第に大きくなるのに対し、ＳＩモードにおいては、エンジン負荷の高低に拘わらず、最大リフト量で一定に設定される。
【０１１１】
図１２は、図１１とは別の制御例を示しており、図１１と図１２とは、ＣＩモードにおける、スロットル弁３６の開度（ｂ）、吸気弁２１の開弁タイミング（ｅ）、吸気弁２１のリフト量（ｇ）の制御が互いに相違する。すなわち、図１２に示す制御では先ず、同図（ｂ）に示すように、ＣＩモードにおいてスロットル弁３６を絞るようにしており、スロットル弁３６の開度は、ＣＩモードにおける低負荷側において小さく、高負荷側において大きくなるように、エンジン負荷の増大に伴い次第に大きくなるように制御される。一方、ＳＩモードにおいて、スロットル弁３６は全開にされる。
【０１１２】
また、図１２（ｅ）に示すように、吸気弁２１の開弁タイミングは、ＣＩモードでは、エンジン負荷の高低に拘わらず、排気上死点で一定にされると共に、図１２（ｇ）に示すように、吸気弁２１のリフト量は、ＣＩモードでは、エンジン負荷の高低に拘わらず、所定のリフト量で一定にされる。このような、スロットル弁３６の制御及び吸気弁２１の制御の組み合わせによって、ＣＩモードにおいては、スロットル弁３６の開度に応じて、気筒１８内に導入される内部ＥＧＲガス量が調整されることになる。従って、図１１（ａ）と図１２（ａ）とを比較すれば明らかなように、図１２に示す制御例においても、気筒１８内に充填される混合気の構成は、図１１に示す制御例と同じになる。
【０１１３】
図１３は、図１１（及び図１２）とは別の制御例を示しており、図１１と図１３とは、ＳＩモードにおける、ＥＧＲ弁５１１の開度（ｃ）、吸気弁２１の開弁タイミング（ｅ）、吸気弁２１の閉弁タイミング（ｆ）の制御が互いに相違する。つまり、図１１（及び図１２）では、同図（ａ）に示すように、ＳＩモードにおいて、吸気弁２１の閉弁タイミングを調整することによって、気筒１８内への充填量を減らすようにしているのに対し、図１３の制御例では、同図（ａ）に示すように、ＳＩモードにおいて、外部ＥＧＲガスを気筒１８内に導入するようにしている。
【０１１４】
先ず、図１３（ｃ）に示すように、ＥＧＲ弁５１１は、ＣＩモードでは閉じられたままになるのに対し、ＳＩモードでは開弁される。ＥＧＲ弁５１１の開度は、ＳＩモードにおいて低負荷ほど大きく高負荷ほど小さくなるように、エンジン負荷の増大に伴い次第に小さくされる。より正確には、ＣＩモードとＳＩモードとの切り替わりにおいては全開とされ、全開負荷において全閉とされる。従ってこの制御例では、ＳＩモードにおいても、全開負荷時には外部ＥＧＲガスは気筒１８内に導入されない。
【０１１５】
また、図１３（ｅ）に示すように、吸気弁２１の開弁タイミングは、ＳＩモードにおいては排気上死点で一定にされ、図１３（ｆ）に示すように、吸気弁２１の閉弁タイミングは、ＳＩモードにおいて吸気下死点で一定される。従って、ＳＩモードでは、スロットル弁３６が全開で一定にされ（図１３（ｂ））、吸気弁２１の開弁タイミング及び閉弁タイミングが一定にされると共に、リフト量が最大で一定にされる（図１３（ｇ））。このことから、ＥＧＲ弁５１１の開度調整によって、気筒１８内の導入される新気量と、外部ＥＧＲガス量との割合が調整されることになる。このような制御は、ポンプ損失の低減に有利である。また、ＳＩモードにおいて、外部ＥＧＲガスを気筒１８内に導入することは、冷却損失の低減、異常燃焼の回避、及び、Ｒａｗ ＮＯｘの抑制に有利になる。
【０１１６】
図１４に示す制御例は、ＣＩモードについては図１２に示す制御例を、ＳＩモードについては図１３に示す制御例を、それぞれ採用して二つの制御例を組み合わせた例である。
【０１１７】
次に、図１５は、低速域内における負荷の変動に対するエンジン１の各制御パラメータ、すなわち、（ｂ）Ｇ／Ｆ、（ｃ）噴射タイミング、（ｄ）燃料圧力、（ｅ）燃料噴射パルス幅（つまり、噴射期間）、及び、（ｆ）点火タイミングの変化を示している。
【０１１８】
先ず、図１１や図１２の制御例に従う場合は、気筒内の混合気の状態は、図１５（ａ）に示すような構成となる。このため、Ｇ／Ｆは、図１５（ｂ）に示すように、ＣＩモードでは、燃料量の増大に伴いリーンから次第に理論空燃比に近づくようになる。一方、ＳＩモードでは、前述した通り、充填量を低下させているため、Ｇ／Ｆは理論空燃比で一定になる（Ｇ／Ｆ＝１４．７）。
【０１１９】
図１５（ｃ）に示すように、燃料噴射タイミングは、ＣＩモードにおいては、一例として、排気上死点と吸気下死点との間の吸気行程中に設定される。燃料噴射タイミングは、エンジン１の負荷に応じて変更してもよい。これに対し、ＳＩモードにおいては、燃料噴射タイミングは、圧縮行程後半から膨張行程初期にかけてのリタード期間に設定される。つまり、高圧リタード噴射である。また、ＳＩモードでは、エンジン負荷の増大に伴い、その噴射タイミングは次第に遅角側に変更される。これは、エンジン負荷の増大に伴い、気筒１８内の圧力及び温度が高まって異常燃焼が発生しやすくなることから、これを効率的に回避するためには、噴射タイミングを遅角側に設定する必要があるためである。ここで、図１５（ｃ）の実線は、高圧リタード噴射を一回の燃料噴射によって行う、一括噴射の場合の、燃料噴射タイミングの一例を示している。これに対し、図１５（ｃ）の一点鎖線は、高圧リタード噴射を、第１噴射と第２噴射との二回の燃料噴射に分割した場合の、第１噴射及び第２噴射それぞれの燃料噴射タイミングの一例を示している。これによると、分割噴射における第２噴射は、一括噴射を行う場合よりも、遅角側に実行することになるため、異常燃焼の回避により有利になる。これは、前述したように、比較的早期に第１噴射を実行して燃料の気化霧化時間を確保していること、第２噴射の燃料噴射量が相対的少なくなるため、必要な気化霧化時間が短くなること、に起因する。
【０１２０】
さらに図１５（ｃ）に点線で示すように、全開負荷域においては、総括燃料噴射量が多くなることから、燃料噴射量の増量分を、吸気充填効率の向上を目的として、吸気行程噴射を実行するようにしてもよい。
【０１２１】
図１５（ｄ）は、直噴インジェクタ６７に供給される燃料圧力の変化を示しており、ＣＩモードでは最小燃料圧力で一定に設定される。これに対し、ＳＩモードでは、最小燃料圧力よりも高い燃料圧力に設定されると共に、エンジン負荷の増大に伴い、燃料圧力が増大するように設定される。これは、エンジン負荷が高くなるにつれて異常燃焼が発生しやすくなることから、噴射期間のさらなる短縮や、噴射タイミングのさらなる遅角化が求められるためである。
【０１２２】
図１５（ｅ）は、一括噴射を行う場合の噴射期間に相当する噴射パルス幅（インジェクタの開弁期間）の変化を示しており、ＣＩモードにおいては、燃料噴射量の増大に伴いパルス幅も大きくなり、ＳＩモードにおいても同様に、燃料噴射量の増大に伴いパルス幅も大きくなる。しかしながら、同図（ｄ）に示すように、ＳＩモードでは、ＣＩモードよりも燃料圧力が大幅に高く設定されているため、ＳＩモードにおける燃料噴射量は、ＣＩモードにおける燃料噴射量よりも多いにも拘わらず、そのパルス幅は、ＣＩモードのパルス幅よりも短く設定される。これは、未燃混合気反応可能時間を短縮し、異常燃焼の回避に有利になる。
【０１２３】
また、図１５（ｆ）は、点火タイミングの変化を示しており、ＳＩモードでは、燃料噴射タイミングがエンジン負荷の増大と共に遅角されることに従って、点火タイミングもまた、エンジン負荷の増大と共に遅角される。これは、異常燃焼の回避に有利である。また、ＣＩモードでは、基本的には点火を実行しないものの、点火プラグ２５のくすぶりを回避する目的で、同図に一点鎖線で示すように、例えば排気上死点付近で点火を行ってもよい。
【０１２４】
図１６は、図１５とは異なり、図１３や図１４の制御例に従う場合の、（ｂ）Ｇ／Ｆ、（ｃ）噴射タイミング、（ｄ）燃料圧力、（ｅ）燃料噴射パルス幅、及び、（ｆ）点火タイミングの変化を示している。尚、図１５と、図１６との比較において、（ｃ）（ｅ）（ｆ）は、互いに同じである。
【０１２５】
気筒１８内の混合気の状態は、図１６（ａ）に示すような構成となり、ＳＩモードにおいて、外部ＥＧＲガスを気筒１８内に導入していることから、Ｇ／Ｆは、図１６（ｂ）に示すように、ＣＩモードからＳＩモードにかけて不連続にならずに、エンジン負荷の増大に対して次第に減少することになる。このように、ＳＩモードにおいて外部ＥＧＲガスを導入することから、特にエンジン１の運転状態が中負荷域にあるときには、燃焼が緩慢になって燃焼期間が長くなる虞がある。そこで、燃焼期間の短縮を目的に、この制御例では、図１６（ｄ）に示すように、図１５（ｄ）と比較して（同図の一点鎖線を参照）、燃料圧力がより高く設定される。
【０１２６】
次に、図１７に示すフローチャートを参照しながら、エンジン１の制御について、さらに詳細に説明する。このフローチャートはＰＣＭ１０が実行するエンジン１の制御フローである。このフローチャートに従って、エンジン１を制御することによって、負荷の変動（但し、定常）に対するエンジン１の状態が、図１１〜１６に示すようになり得る。また、このフローには、ＣＩモードとＳＩモードとの間の移行に係る制御も含まれている。尚、図１７に示すフローは、ステップの実行順を限定するものではなく、図１７に示すフロー中の、ステップの順番は例示である。従って、ステップの順番を適宜入れ替えたり、複数のステップを同時並列に実行したりすることが可能である。また、図１７に示すフローに対して、ステップを適宜省略したり、別のステップを追加したりすることも可能である。
【０１２７】
先ず、ステップＳＡ１では、積算ＡＷＳ実行時間を読み込み、続くステップＳＡ２では、読み込んだＡＷＳ実行時間が、所定値以上であるか否かを判定する。ＡＷＳ（Accelerated Warm-up System）は、エンジン１の始動時に排気ガスの温度を高めてキャタリスト４１，４２の活性化を早めることで、排気ガスの浄化を促進するシステムである。ＡＷＳは、エンジン１の始動後に、予め定められた所定時間だけ実行される。従って、ステップＳＡ２の判定においてＮＯのとき（つまり、所定値以上でないとき）には、ステップＳＡ３に移行してＡＷＳモードとする。ＡＷＳモードでは、基本的には、吸入空気量を増量させると共に、点火プラグ２５の点火タイミングを大幅にリタードさせたＳＩ燃焼を実行する。
【０１２８】
一方、ステップＳＡ２の判定においてＹＥＳのとき（つまり、所定値以上のとき）には、ステップＳＡ４に移行をする。すなわち、ＡＷＳは終了して、エンジン１は通常の運転モードに移行する。
【０１２９】
ステップＳＡ４において、ＰＣＭ１０は先ず、アクセル開度及びエンジン回転数を読み込み、続くステップＳＡ５において、ＰＣＭ１０は、エアフローセンサ（ＡＦＳ）ＳＷ１によって検出された吸気流量と、筒内圧センサ（ＣＰＳ）ＳＷ６によって検出された筒内圧力と、に基づいて、充填量を算出する。ＰＣＭ１０はまた、ステップＳＡ６において、エンジン水温及び、気筒１８内に導入される吸気の温度をそれぞれ読み込む。そうして、アクセル開度、エンジン回転数、充填量、エンジン水温、及び吸気温度に基づいて、ＣＩ判定変数Ｙを算出する。
【０１３０】
ＣＩ判定変数Ｙは、アクセル開度の関数i(アクセル開度)、エンジン回転数の関数j(１／回転数)、充填量の関数k(充填量)、エンジン水温の関数l(エンジン水温)、及び、吸気温度の関数m(吸気温度)の各関数に基づいて、例えば以下の式により算出される変数である。
ＣＩ判定変数Ｙ
＝i(アクセル開度)+j(１／回転数)+k(充填量)+l(エンジン水温)+m(吸気温度)
このＣＩ判定変数Ｙは、混合気が、圧縮上死点付近において圧縮着火するか否かの指標となる変数である。言い換えると、ＣＩ判定変数Ｙは、エンジン１を、ＣＩモードで運転すべきか、ＳＩモードで運転すべきかを判定する変数である。例えば図１８の（ａ）に示すように、ＣＩ判定変数Ｙが第１しきい値よりも小さいときには、ＣＩモードで運転しようとしたときに失火してしまう可能性が高いため、ＳＩモードにすべきと判定することが可能であり、逆にＣＩ判定変数Ｙが第２しきい値以上のときには、ＣＩモードで運転しようとしたときに過早着火してしまう可能性が高いため、ＳＩモードにすべきと判定することが可能である。これに対し、ＣＩ判定変数Ｙが、第１しきい値以上、第２しきい値未満のときには、圧縮上死点付近の適切なタイミングで、混合気が圧縮着火するため、ＣＩモードにすべきと判定することが可能になる。このように、ＣＩ判定変数Ｙに基づいてＣＩモードとＳＩモードとの切り替えを行うため、単にエンジン負荷の高低のみでモードが決定されるものではない。
【０１３１】
図１７のフローに戻り、ステップＳＡ７では、燃圧センサＳＷ１６が検出した燃料圧力を読み込む。そうして、ステップＳＡ８では、ステップＳＡ６で算出したＣＩ判定変数Ｙに基づいて、ＣＩモードにすべきか否かを判定し、当該判定がＹＥＳのときには、ステップＳＡ９に移行し、エンジン１の運転モードをＣＩモードにする。一方、その判定がＮＯのときには、ステップＳＡ１６に移行し、エンジン１の運転モードをＳＩモードにする。
【０１３２】
ＣＩモードにおけるステップＳＡ１０では、ＣＩモード用の燃料圧力（目標圧力）を、予め設定されかつ、ＰＣＭ１０に記憶されているマップから読み込む。マップは、図１８（ｂ）に一例を示すように、エンジン回転数とアクセル開度とに基づいて燃料圧力（Ｆｐ）を設定するためのマップであり、エンジン回転数が低くかつアクセル開度が小さいほど、言い換えるとマップの左下にいけばいくほど、燃料圧力は小に設定され、エンジン回転数が高くかつアクセル開度が大きいほど、言い換えるとマップの右上にいけばいくほど、燃料圧力は大に設定される（Ｆｐ１＜Ｆｐ２＜Ｆｐ３）。尚、図１７のフローでは省略するが、ＰＣＭ１０は、目標燃料圧力を設定した後は、実際の燃料圧力が、目標燃料圧力となるように、高圧燃料供給システム６２の制御を実行する。
【０１３３】
続くステップＳＡ１１では、ＣＩモード用の燃料噴射タイミングを、予め設定されかつＰＣＭ１０に記憶されているマップから読み込む。マップは、図１８（ｃ）に一例を示すように、エンジン回転数とアクセル開度とに基づいて噴射タイミング（Ｉｎｊ）を設定するためのマップであり、エンジン回転数が低くかつアクセル開度が大きいほど、言い換えるとマップの左上にいけばいくほど、噴射タイミングは遅角側に設定され、エンジン回転数が高くかつアクセル開度が小さいほど、言い換えるとマップの右下にいけばいくほど、噴射タイミングは進角側に設定される（Ｉｎｊ１＜Ｉｎｊ２＜Ｉｎｊ３）。
【０１３４】
ステップＳＡ１２では、ステップＳＡ１０で読み込んだＣＩ用目標燃料圧力と現在の燃料圧力との偏差（現在の燃料圧力−ＣＩ用目標燃料圧力）を算出し、続くステップＳＡ１３では、その燃料圧力の偏差に基づいて、予め設定されかつＰＣＭ１０に記憶されている特性図から、燃料分割回数を読み込む。特性図は、図１８（ｄ）に示すように、現在の燃料圧力の方がＣＩ用目標燃料圧力よりも高くかつ、その偏差が大きい方が、分割回数が多くなるように設定されている。
【０１３５】
そうして、ステップＳＡ１４では、充填量制御を行う。充填量制御は、図１１〜図１４を参照しながら説明したように、ＶＶＬ７１を制御することによる排気の二度開き制御を少なくとも含み、それによって、内部ＥＧＲガスを気筒１８内に導入する。そうして、ステップＳＡ１５において、直噴インジェクタ６７を通じて、設定した分割数の燃料噴射を、設定したタイミングで、気筒１８内に直接噴射する。
【０１３６】
このＣＩモードに対し、ＳＩモードにおけるステップＳＡ１７では、ＳＩモード用の燃料圧力（目標圧力）を、予め設定されかつ、ＰＣＭ１０に記憶されているマップから読み込む。マップは、図１８（ｅ）に一例を示すように、ＣＩ燃焼用の燃料圧力のマップ（同図（ｂ））と同様に、エンジン回転数とアクセル開度とに基づいて燃料圧力（Ｆｐ）を設定するためのマップであり、エンジン回転数が低くかつアクセル開度が小さいほど、言い換えるとマップの左下にいけばいくほど、燃料圧力は小に設定され、エンジン回転数が高くかつアクセル開度が大きいほど、言い換えるとマップの右上にいけばいくほど、燃料圧力は大に設定される（Ｆｐ４＜Ｆｐ５＜Ｆｐ６）。但し、ＳＩモード用の燃料圧力の最低値Ｆｐ４は、ＣＩモード用の燃料圧力の最高値Ｆｐ３よりも大（Ｆｐ４＞Ｆｐ３）である。このため、ＳＩモード用の燃料圧力は、ＣＩモード用の燃料圧力よりも必ず高くなる。そうして、図１７のフローでは省略するが、ＰＣＭ１０は、実際の燃料圧力が目標圧力となるように、高圧燃料供給システム６２を制御する。
【０１３７】
続くステップＳＡ１８では、ＳＩモード用の基本噴射タイミング（Ｉｎｊ）を、予め設定されかつ、ＰＣＭ１０に記憶されているマップから読み込む。マップは、図１８（ｆ）に一例を示すように、ＣＩ燃焼用の燃料圧力のマップ（同図（ｂ））と同様に、エンジン回転数とアクセル開度とに基づいて噴射タイミング（Ｉｎｊ）を設定するためのマップであり、エンジン回転数が低くかつアクセル開度が大きいほど、言い換えるとマップの左上にいけばいくほど、噴射タイミングは遅角側に設定され、エンジン回転数が高くかつアクセル開度が小さいほど、言い換えるとマップの右下にいけばいくほど、噴射タイミングは進角側に設定される（Ｉｎｊ４＜Ｉｎｊ５＜Ｉｎｊ６）。但し、ＳＩモード用の基本噴射タイミングの最低値Ｉｎｊ４は、ＣＩモード用の基本噴射タイミングの最高値Ｉｎｊ３よりも大（Ｉｎｊ４＞Ｉｎｊ３）であり、Ｉｎｊ４、Ｉｎｊ５、Ｉｎｊ６はそれぞれ、圧縮行程後期から膨張行程初期にかけてのリタード期間に相当する。
【０１３８】
ステップＳＡ１９では、図１８（ｇ）に例示するような、予め設定されかつ、ＰＣＭ１０に記憶されている点火マップから点火タイミングを読み込む。この点火マップは、エンジン回転数とアクセル開度とに基づいて点火タイミング（ＩＧ）を設定するためのマップであり、エンジン回転数が低くかつアクセル開度が大きいほど、言い換えるとマップの左上にいけばいくほど、点火タイミングは遅角側に設定され、エンジン回転数が高くかつアクセル開度が小さいほど、言い換えるとマップの右下にいけばいくほど、点火タイミングは進角側に設定される（ＩＧ１＜ＩＧ２＜ＩＧ３）。尚、ここで設定される点火タイミングは、前述した燃料噴射タイミングよりも後のタイミングに設定される。
【０１３９】
ステップＳＡ２０では、ステップＳＡ１７で読み込んだＳＩ用目標燃料圧力と現在の燃料圧力との偏差（現在の燃料圧力−ＳＩ用目標燃料圧力）を算出する。そうして、続くステップＳＡ２１では、その燃料圧力の偏差に基づいて、予め設定されかつＰＣＭ１０に記憶されている特性図から、噴射タイミングの補正値を読み込む。噴射タイミングの補正値は、ステップＳＡ１８で設定した基本噴射タイミングを、遅角側に変更するための補正値であり、その特性図は、図１８（ｈ）に示すように、現在の燃料圧力の方がＳＩ用目標燃料圧力よりも低くかつ、その偏差が大きい方が、遅角側の補正量が大きくなるように設定されている。つまり、現在の燃料圧力とＳＩ用目標燃料圧力との偏差が大きい方が、噴射タイミングを、より大きく遅角側に変更することになる。また、続くステップＳＡ２２では、燃料圧力の偏差に基づいて、予め設定されかつＰＣＭ１０に記憶されている特性図から、点火タイミングの補正値を読み込む。点火タイミングの補正値は、ステップＳＡ１９で設定した基本点火タイミングを、遅角側に変更するための補正値であり、その特性図は、図１８（ｉ）に示すように、現在の燃料圧力の方がＳＩ用目標燃料圧力よりも低くかつ、その偏差が大きい方が、遅角側の補正量が大きくなるように設定されている。つまり、噴射タイミングの補正と同様に、現在の燃料圧力とＳＩ用目標燃料圧力との偏差が大きい方が、点火タイミングを、より大きく遅角側に変更することになる。
【０１４０】
そうして、ステップＳＡ２３で、充填量制御を実行する。充填量制御は、図１１〜図１４に示すように、空燃比λ＝１で運転されるＳＩモードにおいて、設定された総噴射量に応じて空燃比λ＝１とするために実行される制御であり、気筒１８内に導入される吸気を絞る制御、気筒１８内に外部ＥＧＲガスを導入する制御、又は、それら両方を組み合わせた制御を実行する。
【０１４１】
ステップＳＡ２４では、基本噴射タイミングを、ステップＳＡ２１で設定した補正値により補正したタイミングで、燃料噴射を実行する。この燃料噴射は、基本的には（言い換えると、補正値により補正されていないなら）高圧リタード噴射に相当する。従って、この噴射タイミングは、圧縮行程後期から膨張行程初期にかけてのリタード期間内であり、直噴インジェクタ６７によって気筒１８内に燃料が直接噴射される。一方、噴射タイミングが補正されているときは、リタード期間内よりもさらに遅れて燃料が噴射される場合がある。
【０１４２】
またステップＳＡ２５では、基本点火タイミングを、ステップＳＡ２２で設定した補正値により補正したタイミングで、点火プラグ２５による点火を実行する。従って、燃料噴射タイミングと同様に、この点火タイミングは基本的には、圧縮行程後期から膨張行程初期にかけてのリタード期間内であり、点火タイミングが補正されているときは、リタード期間内よりもさらに遅れて点火される場合がある。
【０１４３】
このように、エンジン負荷が増大することに伴い、ＣＩモードからＳＩモードへと移行したときには、モードの移行に対して、エンジン駆動の高圧燃料ポンプ６３による燃料圧力の上昇は遅れるから、ＳＩモードに移行した後の所定の期間は、高圧リタード噴射として設定される燃料圧力（つまり、図１８（ｅ）によって設定されるＳＩ用の目標圧力）よりも低い圧力となる。特にモードの移行は、基本的にエンジン負荷の高低に従って行われる場合があり、必ずしもエンジン回転数の高低に従うのではないため、エンジン駆動の燃料ポンプ６３を含む高圧燃料供給システム６２による燃料圧力の上昇は、エンジン負荷の変化に対し、大きく遅れやすい。そのため、リタード期間内に燃料噴射を行ったとしても、燃料圧力が低いが故に、異常燃焼を回避することができない場合がある。
【０１４４】
これに対し、前記の構成では、ＣＩモードからＳＩモードへの移行の際には、目標燃料圧力と現在の燃料圧力との偏差に応じて、燃料の噴射タイミング及び点火タイミングをそれぞれ遅角する（ステップＳＡ１８、ＳＡ１９、ＳＡ２１、ＳＡ２２）。この噴射タイミング及び点火タイミングのリタードによって、モードの移行の過渡における異常燃焼が回避される。そして、燃料圧力が目標燃料圧力にまで上昇した後は、燃料の噴射タイミング及び点火タイミングがそれぞれ、ＳＩモードにおいて設定されている噴射タイミング（基本噴射タイミング）及び点火タイミング（基本点火タイミング）に進角される。すなわち、高圧リタード噴射によって異常燃焼を回避しつつ、点火タイミングを進角することによってトルクの向上及び燃費の向上に有利になる。
【０１４５】
これとは逆に、エンジン負荷が低下することに伴い、ＳＩモードからＣＩモードへと移行したときには、モードの移行に対して、高圧燃料供給システム６２による燃料圧力の低下は遅れるから、ＣＩモードに移行した後の所定の期間は、燃料圧力（つまり、図１８（ｂ）によって設定されるＣＩ用の目標圧力）よりも高い圧力となる。つまり、燃料圧力が高すぎるため、吸気行程乃至圧縮行程において燃料噴射を行うと、気筒１８の内壁等に燃料が大量に付着してしまう場合がある。これは、オイル希釈等の問題を引き起こす。
【０１４６】
これに対し、前記の構成では、ＳＩモードからＣＩモードへの移行の際には、目標燃料圧力と現在の燃料圧力との偏差に応じて、燃料の噴射回数を増やす（ステップＳＡ１３）。この噴射回数の増加によって、１回の燃料噴射当たりに噴射される燃料量は少なくなるから、燃料圧力が高すぎるときでも、気筒１８の内壁等への燃料の付着は抑制される。その結果、オイル希釈等の問題も未然に回避される。そして、燃料圧力が目標燃料圧力にまで低下した後は、燃料の噴射回数は、ＣＩモードにおいて設定されている噴射回数（この例では１回）に設定される。それによって、比較的均質のリーン混合気を形成して、圧縮着火燃焼の安定化に有利になる。
【０１４７】
尚、前記の構成では、例えば図１１等において明らかなように、ＣＩモードとＳＩモードとの切り替わりと、排気弁２２の二度開き制御の実行、中止とを一致させている。言い換えると、エンジン１の運転状態が、低速域内の低負荷乃至中負荷域にあって圧縮着火燃焼を行うときには必ず、内部ＥＧＲガスを気筒１８内に導入している。これに対し、エンジン１の運転状態が、低速域内の中負荷域にあるときには、排気弁２２の二度開き制御を中止して内部ＥＧＲを停止する一方で、ＣＩモードを行うようにしてもよい。すなわち、エンジン１の運転領域が、低速域内の中負荷域にあるときには、内部ＥＧＲガスを気筒１８内に導入せずに圧縮着火燃焼を行うようにしてもよい。このことを言い換えると、低速域内において、気筒１８内の温度が高くなりすぎることを回避したり、必要量の新気を確保したりする観点から、所定負荷（中負荷）で内部ＥＧＲを停止する一方、圧縮着火燃焼を行うＣＩモードは、それよりも高負荷側まで拡大するようにしてもよい。
【０１４８】
また、前記の構成では、例えば図１８（ｄ）に示すように、ＣＩモードにおける基本の燃料噴射回数を１回に設定しているが、基本の燃料噴射回数を２回以上に設定してもよい。この場合、目標燃料圧力と現在の燃料圧力との偏差に応じて、燃料噴射回数を２回よりもさらに増やすようにしてもよい。
【０１４９】
さらに、前記の構成では、ＣＩモードからＳＩモードへ移行した後の所定の期間において、燃料の噴射タイミング及び点火タイミングをそれぞれ遅角するようにしているが、そうした噴射タイミング及び点火タイミングの遅角制御を、ＣＩモードからＳＩモードへ移行する直前から開始し、モードの移行後であって所定の期間の経過後に終了するようにしてもよい。同様に、前記の構成では、ＳＩモードからＣＩモードへ移行した後の所定の期間において、燃料の噴射回数を増加するようにしているが、そうした噴射回数の増加制御を、ＳＩモードからＣＩモードへ移行する直前から開始し、モードの移行後であって所定の期間の経過後に終了するようにしてもよい。
【０１５０】
加えて、ポートインジェクタ６８及び低圧燃料供給システム６６は省略し、吸気行程噴射を、直噴インジェクタ６７によって行うようにしてもよい。
【符号の説明】
【０１５１】
１    エンジン（エンジン本体）
１０  ＰＣＭ（制御器）
１８  気筒
１９  燃焼室
２１  吸気弁
２２  排気弁
２５  点火プラグ
５０  ＥＧＲ通路
６２  高圧燃料供給システム（燃圧可変機構）
６３  高圧燃料ポンプ
６７  直噴インジェクタ（燃料噴射弁）
【図１】
0005500103.tif 000002
【図２】
0005500103.tif 000003
【図３】
0005500103.tif 000004
【図４】
0005500103.tif 000005
【図５】
0005500103.tif 000006
【図６】
0005500103.tif 000007
【図７】
0005500103.tif 000008
【図８】
0005500103.tif 000009
【図９】
0005500103.tif 000010
【図１０】
0005500103.tif 000011
【図１１】
0005500103.tif 000012
【図１２】
0005500103.tif 000013
【図１３】
0005500103.tif 000014
【図１４】
0005500103.tif 000015
【図１５】
0005500103.tif 000016
【図１６】
0005500103.tif 000017
【図１７】
0005500103.tif 000018
【図１８】
0005500103.tif 000019